(57)【特許請求の範囲】
【請求項１】
書き込み装置と第１乃至第Ｍ（Ｍは１より大きい整数である）のＩＣカードを有するデータ書き込みシステムであって、
前記書き込み装置は、
第１乃至第Ｍの処理書き込み信号と第１乃至第Ｍの書き込みコマンドおよび複数のパルスを有するパルス信号を、第１乃至第Ｍの送信書き込み信号と第１乃至第Ｍの送信書き込みコマンドおよび送信パルス信号として送信する送信アンテナと、
この送信アンテナに接続され前記第１乃至第Ｍの処理書き込み信号と前記第１乃至第Ｍの書き込みコマンドおよび前記パルス信号を生成して前記送信アンテナに与える信号生成手段とを有し、
前記第１乃至第ＭのＩＣカードは、
前記送信アンテナからの前記第１乃至第Ｍの送信書き込み信号と前記第１乃至第Ｍの送信書き込みコマンドおよび前記送信パルス信号とを受信し第１乃至第Ｍの受信書き込み信号と第１乃至第Ｍの受信書き込みコマンドおよび第１乃至第Ｍの受信パルス信号を生成する第１乃至第Ｍのアンテナと、
これらの第１乃至第Ｍのアンテナに接続されこれらの第１乃至第Ｍのアンテナからの前記第１乃至第Ｍの受信パルス信号の前記第１乃至第Ｍのパルス信号を検出する第１乃至第Ｍのパルス信号検出手段と、
前記第１乃至第Ｍのアンテナに接続されこれらの第１乃至第Ｍのアンテナからの前記第１乃至第Ｍの受信書き込みコマンドの前記第１乃至第Ｍの書き込みコマンドを検出する第１乃至第Ｍの書き込みコマンド検出手段と、
データを記憶する第１乃至第Ｍの記憶装置と、
前記第１乃至第Ｍのアンテナと前記第１乃至第Ｍの書き込みコマンド検出手段および前記第１乃至第Ｍの記憶装置に接続されノーマルパワーレべルを有するノーマルパワーを受けた時のみ前記第１乃至第Ｍの書き込みコマンド検出手段からの前記第１乃至第Ｍの書き込みコマンドに応答して前記第１乃至第Ｍのアンテナからの前記第１乃至第Ｍの受信書き込み信号を処理して第１乃至第Ｍのデータを生成し前記第１乃至第Ｍの記憶装置に書き込む第１乃至第Ｍの信号処理手段と、第１乃至第Ｍの乱数を有する第１乃至第Ｍの乱数信号を発生する第１乃至第Ｍの乱数発生手段と、
前記第１乃至第Ｍのパルス信号検出手段および前記第１乃至第Ｍの乱数発生手段と接続され前記第１乃至第Ｍのパルス信号検出手段からの前記第１乃至第Ｍのパルス信号のパルスをカウントして第１乃至第Ｍのカウント数を有する第１乃至第Ｍのカウント信号を生成し前記第１乃至第Ｍのカウント信号の前記第１乃至第Ｍのカウント数と前記第１乃至第Ｍの乱数信号の前記第１乃至第Ｍの乱数とを比較して前記第１乃至第Ｍのカウント数が前記第１乃至第Ｍの乱数と等しくない時に第１乃至第Ｍのローパワーモード信号を発生する第１乃至第Ｍのローパワーモードを設定し前記第１乃至第Ｍのカウント数が前記第１乃至第Ｍの乱数と等しくなった時に第１乃至第Ｍのノーマルパワーモード信号を発生する第１乃至第Ｍのノーマルパワーモードを設定する第１乃至第Ｍの状態制御手段と、
前記第１乃至第Ｍの信号処理手段および前記第１乃至第Ｍの状態制御手段に接続され前記第１乃至第Ｍの状態制御手段から前記第１乃至第Ｍのローパワーモード信号を受けた時に前記ノーマルパワーレべルより低いローパワーレベルを有するローパワーを前記第１乃至第Ｍの信号処理手段に供給し前記第１乃至第Ｍの状態制御手段から前記第１乃至第Ｍのノーマルパワーモード信号を受けた時に前記ノーマルパワーを前記第１乃至第Ｍの信号処理手段に供給する第１乃至第Ｍの電力供給制御手段とを有することを特徴とするデータ書き込みシステム。
【請求項２】
書き込み装置と第１乃至第Ｍ（Ｍは１より大きい整数である）のＩＣカードを有するデータ書き込みシステムであって、
前記書き込み装置は、
第１乃至第Ｍの処理書き込み信号と第１乃至第Ｍの書き込みコマンドおよび複数のパルスを有するパルス信号を、第１乃至第Ｍの送信書き込み信号と第１乃至第Ｍの送信書き込みコマンドおよび送信パルス信号として送信する送信アンテナと、
この送信アンテナに接続され前記第１乃至第Ｍの処理書き込み信号と前記第１乃至第Ｍの書き込みコマンドおよび前記パルス信号を生成して前記送信アンテナに与える信号生成手段とを有し、
前記第１乃至第ＭのＩＣカードは、
前記送信アンテナからの前記第１乃至第Ｍの送信書き込み信号と前記第１乃至第Ｍの送信書き込みコマンドおよび前記送信パルス信号とを受信し第１乃至第Ｍの受信書き込み信号と第１乃至第Ｍの受信書き込みコマンドおよび第１乃至第Ｍの受信パルス信号を生成する第１乃至第Ｍのアンテナと、
これらの第１乃至第Ｍのアンテナに接続されこれらの第１乃至第Ｍのアンテナからの前記第１乃至第Ｍの受信パルス信号の前記第１乃至第Ｍのパルス信号を検出する第１乃至第Ｍのパルス信号検出手段と、
前記第１乃至第Ｍのアンテナに接続されこれらの第１乃至第Ｍのアンテナからの前記第１乃至第Ｍの受信書き込みコマンドの前記第１乃至第Ｍの書き込みコマンドを検出する第１乃至第Ｍの書き込みコマンド検出手段と、
データを記憶する第１乃至第Ｍの記憶装置と、
前記第１乃至第Ｍのアンテナと前記第１乃至第Ｍの書き込みコマンド検出手段および前記第１乃至第Ｍの記憶装置に接続されノーマルパワーレべルを有するノーマルパワーを受けた時のみ前記前記第１乃至第Ｍの書き込みコマンド検出手段からの前記第１乃至第Ｍの書き込みコマンドに応答して前記第１乃至第Ｍのアンテナからの前記第１乃至第Ｍの受信書き込み信号を処理して第１乃至第Ｍのデータを生成し前記第１乃至第Ｍの記憶装置に書き込み、前記第１乃至第Ｍのデータを前記第１乃至第Ｍの記憶装置に書き込むことを完了した時に第１乃至第Ｍのノーマルパワーモードキャンセル信号を発生する第１乃至第Ｍの信号処理手段と、第１乃至第Ｍの乱数を有する第１乃至第Ｍの乱数信号を発生する第１乃至第Ｍの乱数発生手段と、
前記第１乃至第Ｍのパルス信号検出手段および前記第１乃至第Ｍの乱数発生手段と接続され前記第１乃至第Ｍのパルス信号検出手段からの前記第１乃至第Ｍのパルス信号のパルスをカウントして第１乃至第Ｍのカウント数を有する第１乃至第Ｍのカウント信号を生成し前記第１乃至第Ｍのカウント信号の前記第１乃至第Ｍのカウント数と前記第１乃至第Ｍの乱数信号の前記第１乃至第Ｍの乱数とを比較して前記第１乃至第Ｍのカウント数が前記第１乃至第Ｍの乱数と等しくない時に第１乃至第Ｍのローパワーモード信号を発生する第１乃至第Ｍのローパワーモードを設定し前記第１乃至第Ｍのカウント数が前記第１乃至第Ｍの乱数と等しくなった時に第１乃至第Ｍのノーマルパワーモード信号を発生する第１乃至第Ｍのノーマルパワーモードを設定し、前記第１乃至第Ｍの信号処理手段からの前記第１乃至第Ｍのノーマルモードキャンセル信号を受けた時に前記第１乃至第Ｍのローパワーモードを設定する第１乃至第Ｍの状態制御手段と、
前記第１乃至第Ｍの信号処理手段および前記第１乃至第Ｍの状態制御手段に接続され前記第１乃至第Ｍの状態制御手段から前記第１乃至第Ｍのローパワーモード信号を受けた時に前記ノーマルパワーレべルより低いローパワーレベルを有するローパワーを前記第１乃至第Ｍの信号処理手段に供給し前記第１乃至第Ｍの状態制御手段から前記第１乃至第Ｍのノーマルパワーモード信号を受けた時に前記ノーマルパワーを前記第１乃至第Ｍの信号処理手段に供給する第１乃至第Ｍの電力供給制御手段とを有することを特徴とするデータ書き込みシステム。
【請求項３】
書き込み装置と第１乃至第Ｍ（Ｍは１より大きい整数である）のＩＣカードを有するデータ書き込みシステムであって、
前記書き込み装置は、
第１乃至第Ｍの処理書き込み信号と第１乃至第Ｍの書き込みコマンドと複数のパルスを有するパルス信号および第１乃至第Ｍのノーマルパワーモードキャンセルコマンドを、第１乃至第Ｍの送信書き込み信号と第１乃至第Ｍの送信書き込みコマンドと送信パルス信号および第１乃至第Ｍの送信ノーマルパワーモードキャンセルコマンドとして送信する送信アンテナと、
この送信アンテナに接続され前記第１乃至第Ｍの処理書き込み信号と前記第１乃至第Ｍの書き込みコマンドと前記パルス信号および前記第１乃至第Ｍのノーマルパワーモードキャンセルコマンドを生成して前記送信アンテナに与える信号生成手段とを有し、
前記第１乃至第ＭのＩＣカードは、
前記送信アンテナからの前記第１乃至第Ｍの送信書き込み信号と前記第１乃至第Ｍの送信書き込みコマンドと前記送信パルス信号および前記第１乃至第Ｍの送信ノーマルパワーモードキャンセルコマンドとを受信し第１乃至第Ｍの受信書き込み信号と第１乃至第Ｍの受信書き込みコマンドと第１乃至第Ｍの受信パルス信号および第１乃至第Ｍの受信ノーマルパワーモードキャンセルコマンドとを生成する第１乃至第Ｍのアンテナと、
これらの第１乃至第Ｍのアンテナに接続されこれらの第１乃至第Ｍのアンテナからの前記第１乃至第Ｍの受信パルス信号の前記第１乃至第Ｍのパルス信号を検出する第１乃至第Ｍのパルス信号検出手段と、
前記第１乃至第Ｍのアンテナに接続されこれらの第１乃至第Ｍのアンテナからの前記第１乃至第Ｍの受信書き込みコマンドの前記第１乃至第Ｍの書き込みコマンドを検出する第１乃至第Ｍの書き込みコマンド検出手段と、
前記第１乃至第Ｍのアンテナに接続されこれらの第１乃至第Ｍのアンテナからの前記第１乃至第Ｍの第１乃至第Ｍの受信ノーマルパワーモードキャンセルコマンドの前記第１乃至第Ｍの第１乃至第Ｍのノーマルパワーモードキャンセルコマンドを検出する第１乃至第Ｍのノーマルパワーモードキャンセルコマンド検出手段と、
データを記憶する第１乃至第Ｍの記憶装置と、
前記第１乃至第Ｍのアンテナと前記第１乃至第Ｍの書き込みコマンド検出手段および前記第１乃至第Ｍの記憶装置に接続されノーマルパワーレべルを有するノーマルパワーを受けた時のみ前記第１乃至第Ｍの書き込みコマンド検出手段からの前記第１乃至第Ｍの書き込みコマンドに応答して前記第１乃至第Ｍのアンテナからの前記第１乃至第Ｍの受信書き込み信号を処理して第１乃至第Ｍのデータを生成し前記第１乃至第Ｍの記憶装置に書き込む第１乃至第Ｍの信号処理手段と、
第１乃至第Ｍの乱数を有する第１乃至第Ｍの乱数信号を発生する第１乃至第Ｍの乱数発生手段と、
前記第１乃至第Ｍのパルス信号検出手段と前記第１乃至第Ｍの乱数発生手段および前記第１乃至第Ｍのノーマルパワーモードキャンセルコマンド検出手段と接続され前記第１乃至第Ｍのパルス信号検出手段からの前記第１乃至第Ｍのパルス信号のパルスをカウントして第１乃至第Ｍのカウント数を有する第１乃至第Ｍのカウント信号を生成し前記第１乃至第Ｍのカウント信号の前記第１乃至第Ｍのカウント数と前記第１乃至第Ｍの乱数信号の前記第１乃至第Ｍの乱数とを比較して前記第１乃至第Ｍのカウント数が前記第１乃至第Ｍの乱数と等しくない時に第１乃至第Ｍのローパワーモード信号を発生する第１乃至第Ｍのローパワーモードを設定し前記第１乃至第Ｍのカウント数が前記第１乃至第Ｍの乱数と等しくなった時に第１乃至第Ｍのノーマルパワーモード信号を発生する第１乃至第Ｍのノーマルパワーモードを設定し、前記第１乃至第Ｍのノーマルパワーモードキャンセルコマンド検出手段からの前記第１乃至第Ｍのノーマルパワーモードキャンセルコマンドを受けた時に前記第１乃至第Ｍのローパワーモードを設定する第１乃至第Ｍの状態制御手段と、
前記第１乃至第Ｍの信号処理手段および前記第１乃至第Ｍの状態制御手段に接続され前記第１乃至第Ｍの状態制御手段から前記第１乃至第Ｍのローパワーモード信号を受けた時に前記ノーマルパワーレべルより低いローパワーレベルを有するローパワーを前記第１乃至第Ｍの信号処理手段に供給し前記第１乃至第Ｍの状態制御手段から前記第１乃至第Ｍのノーマルパワーモード信号を受けた時に前記ノーマルパワーを前記第１乃至第Ｍの信号処理手段に供給する第１乃至第Ｍの電力供給制御手段とを有することを特徴とするデータ書き込みシステム。
【請求項４】
読み出し装置と第１乃至第Ｍ（Ｍは１より大きい整数である）のＩＣカードを有するデータ読み出しシステムであって、
前記読み出し装置は、
第１乃至第Ｍの読み出しコマンドおよび複数のパルスを有するパルス信号を、第１乃至第Ｍの送信読み出しコマンドおよび送信パルス信号として送信する送信アンテナと、
この送信アンテナに接続され前記第１乃至第Ｍの読み出しコマンドおよび前記パルス信号を生成して前記送信アンテナに与える信号生成手段とを有し、
前記第１乃至第ＭのＩＣカードは、
前記送信アンテナからの前記第１乃至第Ｍの送信読み出しコマンドおよび前記送信パルス信号とを受信し第１乃至第Ｍの受信読み出しコマンドおよび第１乃至第Ｍの受信パルス信号を生成し、データを有する第１乃至第Ｍの読み出し信号を受けて第１乃至第Ｍの送信読み出し信号を生成して送信する第１乃至第Ｍのアンテナと、
これらの第１乃至第Ｍのアンテナに接続されこれらの第１乃至第Ｍのアンテナからの前記第１乃至第Ｍの受信パルス信号の前記第１乃至第Ｍのパルス信号を検出する第１乃至第Ｍのパルス信号検出手段と、
前記第１乃至第Ｍのアンテナに接続されこれらの第１乃至第Ｍのアンテナからの前記第１乃至第Ｍの受信読み出しコマンドの前記第１乃至第Ｍの読み出しコマンドを検出する第１乃至第Ｍの読み出しコマンド検出手段と、
データを記憶する第１乃至第Ｍの記憶装置と、
前記第１乃至第Ｍのアンテナと前記第１乃至第Ｍの読み出しコマンド検出手段および前記第１乃至第Ｍの記憶装置に接続されノーマルパワーレべルを有するノーマルパワーを受けた時のみ前記第１乃至第Ｍの読み出しコマンド検出手段からの前記第１乃至第Ｍの読み出しコマンドに応答して前記第１乃至第Ｍの記憶装置から前記データを読み出して処理し前記第１乃至第Ｍの読み出し信号を生成して前記第１乃至第Ｍのアンテナに与える第１乃至第Ｍの第１の信号処理手段と、
第１乃至第Ｍの乱数を有する第１乃至第Ｍの乱数信号を発生する第１乃至第Ｍの乱数発生手段と、
前記第１乃至第Ｍのパルス信号検出手段および前記第１乃至第Ｍの乱数発生手段と接続され前記第１乃至第Ｍのパルス信号検出手段からの前記第１乃至第Ｍのパルス信号のパルスをカウントして第１乃至第Ｍのカウント数を有する第１乃至第Ｍのカウント信号を生成し前記第１乃至第Ｍのカウント信号の前記第１乃至第Ｍのカウント数と前記第１乃至第Ｍの乱数信号の前記第１乃至第Ｍの乱数とを比較して前記第１乃至第Ｍのカウント数が前記第１乃至第Ｍの乱数と等しくない時に第１乃至第Ｍのローパワーモード信号を発生する第１乃至第Ｍのローパワーモードを設定し前記第１乃至第Ｍのカウント数が前記第１乃至第Ｍの乱数と等しくなった時に第１乃至第Ｍのノーマルパワーモード信号を発生する第１乃至第Ｍのノーマルパワーモードを設定する第１乃至第Ｍの状態制御手段と、
前記第１乃至第Ｍの第１の信号処理手段および前記第１乃至第Ｍの状態制御手段に接続され前記第１乃至第Ｍの状態制御手段から前記第１乃至第Ｍのローパワーモード信号を受けた時に前記ノーマルパワーレべルより低いローパワーレベルを有するローパワーを前記第１乃至第Ｍの第１の信号処理手段に供給し前記第１乃至第Ｍの状態制御手段から前記第１乃至第Ｍのノーマルパワーモード信号を受けた時に前記ノーマルパワーを前記第１乃至第Ｍの第１の信号処理手段に供給する第１乃至第Ｍの電力供給制御手段とを有し、
前記読み出し装置は、
さらに前記第１乃至第Ｍのアンテナからの前記第１乃至第Ｍの送信読み出し信号を受けて第１乃至第Ｍの受信読み出し信号を生成する受信アンテナと、
この受信アンテナからの前記第１乃至第Ｍの受信読み出し信号を処理して前記第１乃至第Ｍの読み出し信号を生成する第２の信号処理手段とを有することを特徴とするデータ読み出しシステム。
【請求項５】
読み出し装置と第１乃至第Ｍ（Ｍは１より大きい整数である）のＩＣカードを有するデータ読み出しシステムであって、
前記読み出し装置は、
第１乃至第Ｍの読み出しコマンドおよび複数のパルスを有するパルス信号を、第１乃至第Ｍの送信読み出しコマンドおよび送信パルス信号として送信する送信アンテナと、
この送信アンテナに接続され前記第１乃至第Ｍの読み出しコマンドおよび前記パルス信号を生成して前記送信アンテナに与える信号生成手段とを有し、
前記第１乃至第ＭのＩＣカードは、
前記送信アンテナからの前記第１乃至第Ｍの送信読み出しコマンドおよび前記送信パルス信号とを受信し第１乃至第Ｍの受信読み出しコマンドおよび第１乃至第Ｍの受信パルス信号を生成し、データを有する第１乃至第Ｍの読み出し信号を受けて第１乃至第Ｍの送信読み出し信号を生成して送信する第１乃至第Ｍのアンテナと、
これらの第１乃至第Ｍのアンテナに接続されこれらの第１乃至第Ｍのアンテナからの前記第１乃至第Ｍの受信パルス信号の前記第１乃至第Ｍのパルス信号を検出する第１乃至第Ｍのパルス信号検出手段と、
前記第１乃至第Ｍのアンテナに接続されこれらの第１乃至第Ｍのアンテナからの前記第１乃至第Ｍの受信読み出しコマンドの前記第１乃至第Ｍの読み出しコマンドを検出する第１乃至第Ｍの読み出しコマンド検出手段と、
データを記憶する第１乃至第Ｍの記憶装置と、
前記第１乃至第Ｍのアンテナと前記第１乃至第Ｍの読み出しコマンド検出手段および前記第１乃至第Ｍの記憶装置に接続されノーマルパワーレべルを有するノーマルパワーを受けた時のみ前記第１乃至第Ｍの読み出しコマンド検出手段からの前記第１乃至第Ｍの読み出しコマンドに応答して前記第１乃至第Ｍの記憶装置から前記データを読み出して処理し前記第１乃至第Ｍの読み出し信号を生成して前記第１乃至第Ｍのアンテナに与え、前記第１乃至第Ｍの読み出し信号を生成して前記アンテナに与えることを完了した時に第１乃至第Ｍのノーマルモードキャンセル信号を発生する第１乃至第Ｍの第１の信号処理手段と、
第１乃至第Ｍの乱数を有する第１乃至第Ｍの乱数信号を発生する第１乃至第Ｍの乱数発生手段と、
前記第１乃至第Ｍのパルス信号検出手段と前記第１乃至第Ｍの乱数発生手段および前記第１乃至第Ｍの第１の信号処理手段と接続され前記第１乃至第Ｍのパルス信号検出手段からの前記第１乃至第Ｍのパルス信号のパルスをカウントして第１乃至第Ｍのカウント数を有する第１乃至第Ｍのカウント信号を生成し前記第１乃至第Ｍのカウント信号の前記第１乃至第Ｍのカウント数と前記第１乃至第Ｍの乱数信号の前記第１乃至第Ｍの乱数とを比較して前記第１乃至第Ｍのカウント数が前記第１乃至第Ｍの乱数と等しくない時に第１乃至第Ｍのローパワーモード信号を発生する第１乃至第Ｍのローパワーモードを設定し前記第１乃至第Ｍのカウント数が前記第１乃至第Ｍの乱数と等しくなった時に第１乃至第Ｍのノーマルパワー信号を発生する第１乃至第Ｍのノーマルパワーモードを設定し、前記第１乃至第Ｍの第１の信号処理手段から前記第１乃至第Ｍのノーマルモードキャンセル信号を受けた時に前記第１乃至第Ｍのローパワーモードを設定する第１乃至第Ｍの状態制御手段と、
前記第１乃至第Ｍの第１の信号処理手段および前記第１乃至第Ｍの状態制御手段に接続され前記第１乃至第Ｍの状態制御手段から前記第１乃至第Ｍのローパワーモード信号を受けた時に前記ノーマルパワーレべルより低いローパワーレベルを有するローパワーを前記第１乃至第Ｍの第１の信号処理手段に供給し前記第１乃至第Ｍの状態制御手段から前記第１乃至第Ｍのノーマルパワーモード信号を受けた時に前記ノーマルパワーを前記第１乃至第Ｍの第１の信号処理手段に供給する第１乃至第Ｍの電力供給制御手段とを有し、
前記読み出し装置は、
さらに前記第１乃至第Ｍのアンテナからの前記第１乃至第Ｍの送信読み出し信号を受けて第１乃至第Ｍの受信読み出し信号を生成する受信アンテナと、
この受信アンテナからの前記第１乃至第Ｍの受信読み出し信号を処理して前記第１乃至第Ｍの読み出し信号を生成する第２の信号処理手段とを有することを特徴とするデータ読み出しシステム。
【請求項６】
読み出し装置と第１乃至第Ｍ（Ｍは１より大きい整数である）のＩＣカードを有するデータ読み出しシステムであって、
前記読み出し装置は、
第１乃至第Ｍの読み出しコマンドと複数のパルスを有するパルス信号および第１乃至第Ｍのノーマルパワーモードキャンセルコマンドを、第１乃至第Ｍの送信読み出しコマンドと送信パルス信号および第１乃至第Ｍの送信ノーマルパワーモードキャンセルコマンドとして送信する送信アンテナと、
この送信アンテナに接続され前記第１乃至第Ｍの読み出しコマンドと前記パルス信号および前記第１乃至第Ｍのノーマルパワーモードキャンセルコマンドを生成して前記送信アンテナに与える信号生成手段とを有し、
前記第１乃至第ＭのＩＣカードは、
前記送信アンテナからの前記第１乃至第Ｍの送信読み出しコマンドと前記送信パルス信号および前記第１乃至第Ｍの送信ノーマルパワーモードキャンセルコマンドとを受信し第１乃至第Ｍの受信読み出しコマンドと第１乃至第Ｍの受信パルス信号および第１乃至第Ｍの受信ノーマルパワーモードキャンセルコマンドを生成し、データを有する第１乃至第Ｍの読み出し信号を受けて第１乃至第Ｍの送信読み出し信号を生成して送信する第１乃至第Ｍのアンテナと、
これらの第１乃至第Ｍのアンテナに接続されこれらの第１乃至第Ｍのアンテナからの前記第１乃至第Ｍの受信パルス信号の前記第１乃至第Ｍのパルス信号を検出する第１乃至第Ｍのパルス信号検出手段と、
前記第１乃至第Ｍのアンテナに接続されこれらの第１乃至第Ｍのアンテナからの前記第１乃至第Ｍの受信読み出しコマンドの前記第１乃至第Ｍの読み出しコマンドを検出する第１乃至第Ｍの読み出しコマンド検出手段と、
前記第１乃至第Ｍのアンテナに接続されこれらの第１乃至第Ｍのアンテナからの前記第１乃至第Ｍの前記第１乃至第Ｍの受信ノーマルパワーモードキャンセルコマンドの前記第１乃至第Ｍのノーマルパワーモードキャンセルコマンドを検出する第１乃至第Ｍのノーマルパワーモードキャンセルコマンド検出手段と、
データを記憶する第１乃至第Ｍの記憶装置と、
前記第１乃至第Ｍのアンテナと前記第１乃至第Ｍの読み出しコマンド検出手段および前記第１乃至第Ｍの記憶装置に接続されノーマルパワーレべルを有するノーマルパワーを受けた時のみ前記第１乃至第Ｍの読み出しコマンド検出手段からの前記第１乃至第Ｍの読み出しコマンドに応答して前記第１乃至第Ｍの記憶装置から前記データを読み出して処理し前記第１乃至第Ｍの読み出し信号を生成して前記第１乃至第Ｍのアンテナに与える第１乃至第Ｍの第１の信号処理手段と、
第１乃至第Ｍの乱数を有する第１乃至第Ｍの乱数信号を発生する第１乃至第Ｍの乱数発生手段と、
前記第１乃至第Ｍのパルス信号検出手段と前記第１乃至第Ｍの乱数発生手段および前記第１乃至第Ｍのノーマルパワーモードキャンセルコマンド検出手段と接続され前記第１乃至第Ｍのパルス信号検出手段からの前記第１乃至第Ｍのパルス信号のパルスをカウントして第１乃至第Ｍのカウント数を有する第１乃至第Ｍのカウント信号を生成し前記第１乃至第Ｍのカウント信号の前記第１乃至第Ｍのカウント数と前記第１乃至第Ｍの乱数信号の前記第１乃至第Ｍの乱数とを比較して前記第１乃至第Ｍのカウント数が前記第１乃至第Ｍの乱数と等しくない時に第１乃至第Ｍのローパワーモード信号を発生する第１乃至第Ｍのローパワーモードを設定し前記第１乃至第Ｍのカウント数が前記第１乃至第Ｍの乱数と等しくなった時に第１乃至第Ｍのノーマルパワー信号を発生する第１乃至第Ｍのノーマルパワーモードを設定し、前記第１乃至第Ｍのノーマルパワーモードキャンセルコマンド検出手段からの前記第１乃至第Ｍのノーマルパワーモードキャンセルコマンドを受けた時に前記第１乃至第Ｍのローパワーモードを設定する第１乃至第Ｍの状態制御手段と、
前記第１乃至第Ｍの第１の信号処理手段および前記第１乃至第Ｍの状態制御手段に接続され前記第１乃至第Ｍの状態制御手段から前記第１乃至第Ｍのローパワーモード信号を受けた時に前記ノーマルパワーレべルより低いローパワーレベルを有するローパワーを前記第１乃至第Ｍの第１の信号処理手段に供給し前記第１乃至第Ｍの状態制御手段から前記第１乃至第Ｍのノーマルワーモード信号を受けた時に前記ノーマルパワーを前記第１乃至第Ｍの第１の信号処理手段に供給する第１乃至第Ｍの電力供給制御手段とを有し、
前記読み出し装置は、
さらに前記第１乃至第Ｍのアンテナからの前記第１乃至第Ｍの送信読み出し信号を受けて第１乃至第Ｍの受信読み出し信号を生成する受信アンテナと、
この受信アンテナからの前記第１乃至第Ｍの受信読み出し信号を処理して前記第１乃至第Ｍの読み出し信号を生成する第２の信号処理手段とを有することを特徴とするデータ読み出しシステム。
【請求項７】
書き込み読み出し装置と第１乃至第Ｍ（Ｍは１より大きい整数である）のＩＣカードを有するデータ書き込み読み出しシステムであって、
前記書き込み読み出し装置は、
第１乃至第Ｍの処理書き込み信号と第１乃至第Ｍの書き込みコマンドおよび複数のパルスを有するパルス信号を、第１乃至第Ｍの送信書き込み信号と第１乃至第Ｍの送信書き込みコマンドおよび送信パルス信号として送信し、第１乃至第Ｍの読み出しコマンドを、第１乃至第Ｍの送信読み出しコマンドとして送信する送信アンテナと、
この送信アンテナに接続され前記第１乃至第Ｍの処理書き込み信号と前記第１乃至第Ｍの書き込みコマンドおよび前記パルス信号を生成して前記送信アンテナに与え、前記第１乃至第Ｍの読み出しコマンドおよび前記パルス信号を生成して前記送信アンテナに与える信号生成手段とを有し、
前記第１乃至第ＭのＩＣカードは、
記送信アンテナからの前記第１乃至第Ｍの送信書き込み信号と前記第１乃至第Ｍの送信書き込みコマンドおよび前記送信パルス信号とを受信し第１乃至第Ｍの受信書き込み信号と第１乃至第Ｍの受信書き込みコマンドおよび第１乃至第Ｍの受信パルス信号を生成し、前記送信アンテナからの前記第１乃至第Ｍの送信読み出しコマンドおよび前記送信パルス信号とを受信し第１乃至第Ｍの受信読み出しコマンドおよび前記第１乃至第Ｍの受信パルス信号を生成し、データを有する第１乃至第Ｍの読み出し信号を受けて第１乃至第Ｍの送信読み出し信号を生成して送信する第１乃至第Ｍのアンテナと、
これらの第１乃至第Ｍのアンテナに接続されこれらの第１乃至第Ｍのアンテナからの前記第１乃至第Ｍの受信パルス信号の前記第１乃至第Ｍのパルス信号を検出する第１乃至第Ｍのパルス信号検出手段と、
前記第１乃至第Ｍのアンテナに接続されこれらの第１乃至第Ｍのアンテナからの前記第１乃至第Ｍの受信書き込みコマンドの前記第１乃至第Ｍの書き込みコマンドを検出する第１乃至第Ｍの書き込みコマンド検出手段と、
前記第１乃至第Ｍのアンテナに接続されこれらの第１乃至第Ｍのアンテナからの前記第１乃至第Ｍの受信読み出しコマンドの前記第１乃至第Ｍの読み出しコマンドを検出する第１乃至第Ｍの読み出しコマンド検出手段と、
データを記憶する第１乃至第Ｍの記憶装置と、
前記第１乃至第Ｍのアンテナと前記第１乃至第Ｍの書き込みコマンド検出手段と前記第１乃至第Ｍの読み出しコマンド検出手段および前記第１乃至第Ｍの記憶装置に接続されノーマルパワーレべルを有するノーマルパワーを受けた時のみ前記第１乃至第Ｍの書き込みコマンド検出手段からの前記第１乃至第Ｍの書き込みコマンドに応答して前記第１乃至第Ｍのアンテナからの前記第１乃至第Ｍの受信書き込み信号を処理して第１乃至第Ｍのデータを生成し前記第１乃至第Ｍの記憶装置に書き込み、前記ノーマルパワーを受けた時のみ前記第１乃至第Ｍの読み出しコマンド検出手段からの前記第１乃至第Ｍの読み出しコマンドに応答して前記第１乃至第Ｍの記憶装置から前記データを読み出して処理し前記第１乃至第Ｍの読み出し信号を生成して前記第１乃至第Ｍのアンテナに与える第１乃至第Ｍの第１の信号処理手段と、
第１乃至第Ｍの乱数を有する第１乃至第Ｍの乱数信号を発生する第１乃至第Ｍの乱数発生手段と、
前記第１乃至第Ｍのパルス信号検出手段および前記第１乃至第Ｍの乱数発生手段と接続され前記第１乃至第Ｍのパルス信号検出手段からの前記第１乃至第Ｍのパルス信号のパルスをカウントして第１乃至第Ｍのカウント数を有する第１乃至第Ｍのカウント信号を生成し前記第１乃至第Ｍのカウント信号の前記第１乃至第Ｍのカウント数と前記第１乃至第Ｍの乱数信号の前記第１乃至第Ｍの乱数とを比較して前記第１乃至第Ｍのカウント数が前記第１乃至第Ｍの乱数と等しくない時に第１乃至第Ｍのローパワーモード信号を発生する第１乃至第Ｍのローパワーモードを設定し前記第１乃至第Ｍのカウント数が前記第１乃至第Ｍの乱数と等しくなった時に第１乃至第Ｍのノーマルパワー信号を発生する第１乃至第Ｍのノーマルパワーモードを設定する第１乃至第Ｍの状態制御手段と、
前記第１乃至第Ｍの第１の信号処理手段および前記第１乃至第Ｍの状態制御手段に接続され前記第１乃至第Ｍの状態制御手段から前記第１乃至第Ｍのローパワーモード信号を受けた時に前記ノーマルパワーレべルより低いローパワーレベルを有するローパワーを前記第１乃至第Ｍの第１の信号処理手段に供給し前記第１乃至第Ｍの状態制御手段から前記第１乃至第Ｍのノーマルパワーモード信号を受けた時に前記ノーマルパワーを前記第１乃至第Ｍの第１の信号処理手段に供給する第１乃至第Ｍの電力供給制御手段とを有し、
前記書き込み読み出し装置は、
さらに前記第１乃至第Ｍのアンテナからの前記第１乃至第Ｍの送信読み出し信号を受けて第１乃至第Ｍの受信読み出し信号を生成する受信アンテナと、
この受信アンテナからの前記第１乃至第Ｍの受信読み出し信号を処理して前記第１乃至第Ｍの読み出し信号を生成する第２の信号処理手段とを有することを特徴とするデータ書き込み読み出しシステム。
【請求項８】
書き込み読み出し装置と第１乃至第Ｍ（Ｍは１より大きい整数である）のＩＣカードを有するデータ書き込み読み出しシステムであって、
前記書き込み読み出し装置は、
第１乃至第Ｍの処理書き込み信号と第１乃至第Ｍの書き込みコマンドおよび複数のパルスを有するパルス信号を、第１乃至第Ｍの送信書き込み信号と第１乃至第Ｍの送信書き込みコマンドおよび送信パルス信号として送信し、第１乃至第Ｍの読み出しコマンドを、第１乃至第Ｍの送信読み出しコマンドとして送信する送信アンテナと、
この送信アンテナに接続され前記第１乃至第Ｍの処理書き込み信号と前記第１乃至第Ｍの書き込みコマンドおよび前記パルス信号を生成して前記送信アンテナに与え、前記第１乃至第Ｍの読み出しコマンドを生成して前記送信アンテナに与える信号生成手段とを有し、
前記第１乃至第ＭのＩＣカードは、
前記送信アンテナからの前記第１乃至第Ｍの送信書き込み信号と前記第１乃至第Ｍの送信書き込みコマンドおよび前記送信パルス信号とを受信し第１乃至第Ｍの受信書き込み信号と第１乃至第Ｍの受信書き込みコマンドおよび第１乃至第Ｍの受信パルス信号を生成し、前記送信アンテナからの前記第１乃至第Ｍの送信読み出しコマンドおよび前記送信パルス信号を受信し第１乃至第Ｍの受信読み出しコマンドおよび前記第１乃至第Ｍの受信パルス信号を生成し、データを有する第１乃至第Ｍの読み出し信号を受けて第１乃至第Ｍの送信読み出し信号を生成して送信する第１乃至第Ｍのアンテナと、
これらの第１乃至第Ｍのアンテナに接続されこれらの第１乃至第Ｍのアンテナからの前記第１乃至第Ｍの受信パルス信号の前記第１乃至第Ｍのパルス信号を検出する第１乃至第Ｍのパルス信号検出手段と、
前記第１乃至第Ｍのアンテナに接続されこれらの第１乃至第Ｍのアンテナからの前記第１乃至第Ｍの受信書き込みコマンドの前記第１乃至第Ｍの書き込みコマンドを検出する第１乃至第Ｍの書き込みコマンド検出手段と、
前記第１乃至第Ｍのアンテナに接続されこれらの第１乃至第Ｍのアンテナからの前記第１乃至第Ｍの受信読み出しコマンドの前記第１乃至第Ｍの読み出しコマンドを検出する第１乃至第Ｍの読み出しコマンド検出手段と、
データを記憶する第１乃至第Ｍの記憶装置と、
前記第１乃至第Ｍのアンテナと前記第１乃至第Ｍの書き込みコマンド検出手段と前記第１乃至第Ｍの読み出しコマンド検出手段および前記第１乃至第Ｍの記憶装置に接続されノーマルパワーレべルを有するノーマルパワーを受けた時のみ前記第１乃至第Ｍの書き込みコマンド検出手段からの前記第１乃至第Ｍの書き込みコマンドに応答して前記第１乃至第Ｍのアンテナからの前記第１乃至第Ｍの受信書き込み信号を処理して第１乃至第Ｍのデータを生成し前記第１乃至第Ｍの記憶装置に書き込み、前記第１乃至第Ｍのデータを前記第１乃至第Ｍの記憶装置に書き込むことを完了した時に第１乃至第Ｍのノーマルパワーモードキャンセル信号を生成し、前記ノーマルパワーを受けた時のみ前記第１乃至第Ｍの読み出しコマンド検出手段からの前記第１乃至第Ｍの読み出しコマンドに応答して前記第１乃至第Ｍの記憶装置から前記データを読み出して処理し前記第１乃至第Ｍの読み出し信号を生成して前記第１乃至第Ｍのアンテナに与え、前記第１乃至第Ｍの読み出し信号を生成して前記アンテナに与えることを完了した時に前記第１乃至第Ｍのノーマルパワーモードキャンセル信号を生成する第１乃至第Ｍの第１の信号処理手段と、
第１乃至第Ｍの乱数を有する第１乃至第Ｍの乱数信号を発生する第１乃至第Ｍの乱数発生手段と、
前記第１乃至第Ｍのパルス信号検出手段と前記第１乃至第Ｍの乱数発生手段および前記第１乃至第Ｍの第１の信号処理手段と接続され前記第１乃至第Ｍのパルス信号検出手段からの前記第１乃至第Ｍのパルス信号のパルスをカウントして第１乃至第Ｍのカウント数を有する第１乃至第Ｍのカウント信号を生成し前記第１乃至第Ｍのカウント信号の前記第１乃至第Ｍのカウント数と前記第１乃至第Ｍの乱数信号からの前記第１乃至第Ｍの乱数とを比較して前記第１乃至第Ｍのカウント数が前記第１乃至第Ｍの乱数と等しくない時に第１乃至第Ｍのローパワーモード信号を発生する第１乃至第Ｍのローパワーモードを設定し前記第１乃至第Ｍのカウント数が前記第１乃至第Ｍの乱数と等しくなった時に第１乃至第Ｍのノーマルパワー信号を発生する第１乃至第Ｍのノーマルパワーモードを設定し、前記第１乃至第Ｍの第１の信号処理手段からの前記第１乃至第Ｍのノーマルパワーモードキャンセル信号を受けた時に前記第１乃至第Ｍのローパワーモードを設定する第１乃至第Ｍの状態制御手段と、
前記第１乃至第Ｍの第１の信号処理手段および前記第１乃至第Ｍの状態制御手段に接続され前記第１乃至第Ｍの状態制御手段から前記第１乃至第Ｍのローパワーモード信号を受けた時に前記ノーマルパワーレべルより低いローパワーレベルを有するローパワーを前記第１乃至第Ｍの第１の信号処理手段に供給し前記第１乃至第Ｍの状態制御手段から前記第１乃至第Ｍのノーマルワーモード信号を受けた時に前記ノーマルパワーを前記第１乃至第Ｍの第１の信号処理手段に供給する第１乃至第Ｍの電力供給制御手段とを有し、
前記書き込み読み出し装置は、
さらに前記第１乃至第Ｍのアンテナからの前記第１乃至第Ｍの送信読み出し信号を受けて第１乃至第Ｍの受信読み出し信号を生成する受信アンテナと、
この受信アンテナからの前記第１乃至第Ｍの受信読み出し信号を処理して前記第１乃至第Ｍの読み出し信号を生成する第２の信号処理手段とを有することを特徴とするデータ書き込み読み出しシステム。
【請求項９】
書き込み読み出し装置と第１乃至第Ｍ（Ｍは１より大きい整数である）のＩＣカードを有するデータ書き込み読み出しシステムであって、
前記書き込み読み出し装置は、
第１乃至第Ｍの処理書き込み信号と第１乃至第Ｍの書き込みコマンドと複数のパルスを有するパルス信号および第１乃至第Ｍのノーマルパワーモードキャンセルコマンドを、第１乃至第Ｍの送信書き込み信号と第１乃至第Ｍの送信書き込みコマンドと送信パルス信号および第１乃至第Ｍの送信ノーマルパワーモードキャンセルコマンドとして送信し、第１乃至第Ｍの読み出しコマンドおよび前記第１乃至第Ｍの第１乃至第Ｍのノーマルパワーモードキャンセルコマンドを、第１乃至第Ｍの送信読み出しコマンドおよび前記第１乃至第Ｍの送信ノーマルパワーモードキャンセルコマンドとして送信する送信アンテナと、
この送信アンテナに接続され前記第１乃至第Ｍの処理書き込み信号と前記第１乃至第Ｍの書き込みコマンドおよび前記パルス信号を生成して前記送信アンテナに与え、前記第１乃至第Ｍの読み出しコマンドおよび前記第１乃至第Ｍの送信ノーマルパワーモードキャンセルコマンドを生成して前記送信アンテナに与える信号生成手段とを有し、
前記第１乃至第ＭのＩＣカードは、
前記送信アンテナからの前記第１乃至第Ｍの送信書き込み信号と前記第１乃至第Ｍの送信書き込みコマンドと前記送信パルス信号と前記第１乃至第Ｍの送信読み出しコマンドおよび前記第１乃至第Ｍの送信ノーマルパワーモードキャンセルコマンドを受信し第１乃至第Ｍの受信書き込み信号と第１乃至第Ｍの受信書き込みコマンドと第１乃至第Ｍの受信パルス信号と第１乃至第Ｍの受信読み出しコマンドおよび第１乃至第Ｍの受信ノーマルパワーモードキャンセルコマンドを生成し、データを有する第１乃至第Ｍの読み出し信号を受けて第１乃至第Ｍの送信読み出し信号を生成して送信する第１乃至第Ｍのアンテナと、
これらの第１乃至第Ｍのアンテナに接続されこれらの第１乃至第Ｍのアンテナからの前記第１乃至第Ｍの受信パルス信号の前記第１乃至第Ｍのパルス信号を検出する第１乃至第Ｍのパルス信号検出手段と、
前記第１乃至第Ｍのアンテナに接続されこれらの第１乃至第Ｍのアンテナからの前記第１乃至第Ｍの受信書き込みコマンドの前記第１乃至第Ｍの書き込みコマンドを検出する第１乃至第Ｍの書き込みコマンド検出手段と、
前記第１乃至第Ｍのアンテナに接続されこれらの第１乃至第Ｍのアンテナからの前記第１乃至第Ｍの受信読み出しコマンドの前記第１乃至第Ｍの読み出しコマンドを検出する第１乃至第Ｍの読み出しコマンド検出手段と、
前記第１乃至第Ｍのアンテナに接続されこれらの第１乃至第Ｍのアンテナからの前記第１乃至第Ｍの受信ノーマルパワーモードキャンセルコマンドの第１乃至第Ｍのノーマルパワーモードキャンセルコマンドを検出する第１乃至第Ｍのノーマルパワーモードキャンセルコマンド検出手段と、
データを記憶する第１乃至第Ｍの記憶装置と、
前記第１乃至第Ｍのアンテナと前記第１乃至第Ｍの書き込みコマンド検出手段と前記第１乃至第Ｍの読み出しコマンド検出手段および前記第１乃至第Ｍの記憶装置に接続されノーマルパワーレべルを有するノーマルパワーを受けた時のみ前記第１乃至第Ｍの書き込みコマンド検出手段からの前記第１乃至第Ｍの書き込みコマンドに応答して前記第１乃至第Ｍのアンテナからの前記第１乃至第Ｍの受信書き込み信号を処理して第１乃至第Ｍのデータを生成し前記第１乃至第Ｍの記憶装置に書き込み、前記ノーマルパワーを受けた時のみ前記第１乃至第Ｍの読み出しコマンド検出手段からの前記第１乃至第Ｍの読み出しコマンドに応答して前記第１乃至第Ｍの記憶装置から前記データを読み出して処理し前記第１乃至第Ｍの読み出し信号を生成して前記第１乃至第Ｍのアンテナに与える第１乃至第Ｍの第１の信号処理手段と、
第１乃至第Ｍの乱数を有する第１乃至第Ｍの乱数信号を発生する第１乃至第Ｍの乱数発生手段と、
前記第１乃至第Ｍのパルス信号検出手段と前記第１乃至第Ｍの乱数発生手段および前記第１乃至第Ｍのノーマルパワーモードキャンセルコマンド検出手段と接続され前記第１乃至第Ｍのパルス信号検出手段からの前記第１乃至第Ｍのパルス信号のパルスをカウントして第１乃至第Ｍのカウント数を有する第１乃至第Ｍのカウント信号を生成し前記第１乃至第Ｍのカウント信号の前記第１乃至第Ｍのカウント数と前記第１乃至第Ｍの乱数信号の前記第１乃至第Ｍの乱数とを比較して前記第１乃至第Ｍのカウント数が前記第１乃至第Ｍの乱数と等しくない時に第１乃至第Ｍのローパワーモード信号を発生する第１乃至第Ｍのローパワーモードを設定し前記第１乃至第Ｍのカウント数が前記第１乃至第Ｍの乱数と等しくなった時に第１乃至第Ｍのノーマルパワー信号を発生する第１乃至第Ｍのノーマルパワーモードを設定し、前記第１乃至第Ｍのノーマルパワーモードキャンセルコマンド検出手段からの前記第１乃至第Ｍのノーマルパワーモードキャンセルコマンドを受けた時に前記第１乃至第Ｍのローパワーモードを設定する第１乃至第Ｍの状態制御手段と、
前記第１乃至第Ｍの第１の信号処理手段および前記第１乃至第Ｍの状態制御手段に接続され前記第１乃至第Ｍの状態制御手段から前記第１乃至第Ｍのローパワーモード信号を受けた時に前記ノーマルパワーレべルより低いローパワーレベルを有するローパワーを前記第１乃至第Ｍの第１の信号処理手段に供給し前記第１乃至第Ｍの状態制御手段から前記第１乃至第Ｍのノーマルパワーモード信号を受けた時に前記ノーマルパワーを前記第１乃至第Ｍの第１の信号処理手段に供給する第１乃至第Ｍの電力供給制御手段とを有し、
前記書き込み読み出し装置は、
さらに前記第１乃至第Ｍのアンテナからの前記第１乃至第Ｍの送信読み出し信号を受けて第１乃至第Ｍの受信読み出し信号を生成する受信アンテナと、
この受信アンテナからの前記第１乃至第Ｍの受信読み出し信号を処理して前記第１乃至第Ｍの読み出し信号を生成する第２の信号処理手段とを有することを特徴とするデータ書き込み読み出しシステム。
【発明の詳細な説明】
【０００１】
【発明の属する技術分野】
本発明は、書き込み読み出し装置と第１乃至第Ｍ（Ｍは１より大きい整数である）のＩＣカードを有するデータ書き込みシステムに関する。
【０００２】
【従来の技術】
書き込み読み出し装置と積層された第１乃至第ＭのＩＣカードとを有する従来のデータ書き込みシステムが提案されている。例えば、第１乃至第ＭのＩＣカードは、積層された第１乃至第Ｍの封筒またはタグに接着されている。第１乃至第ＭのＩＣカードは、それぞれ第１乃至第Ｍのアンテナを有している。
【０００３】
【発明が解決しようとする課題】
しかしながら、従来のデータ書き込みシステムにおいては、第１乃至第Ｍのアンテナの１つのアンテナに生じた電圧が当該１つのアンテナに隣接する第１乃至第Ｍのアンテナの他のアンテナの電圧を誘導するから、データを第１乃至第ＭのＩＣカードに書き込み、また、第１乃至第ＭのＩＣカードからデータを読みだすのが困難であるという問題がある。
本発明の課題は、このような問題を解決することにある。すなわち、本発明の目的は、積層された第１乃至第ＭのＩＣカードに対しデータを書き込みおよび読み出すことができるデータ書き込みシステムを提供することにある。本発明の他の目的は、説明が進むにしたがって明確になる。
【０００４】
【課題を解決するための手段】
前記課題を解決するために、請求項１に記載の発明は、書き込み装置と第１乃至第Ｍ（Ｍは１より大きい整数である）のＩＣカードを有するデータ書き込みシステムであって、前記書き込み装置は、第１乃至第Ｍの処理書き込み信号と第１乃至第Ｍの書き込みコマンドおよび複数のパルスを有するパルス信号を、第１乃至第Ｍの送信書き込み信号と第１乃至第Ｍの送信書き込みコマンドおよび送信パルス信号として送信する送信アンテナと、この送信アンテナに接続され前記第１乃至第Ｍの処理書き込み信号と前記第１乃至第Ｍの書き込みコマンドおよび前記パルス信号を生成して前記送信アンテナに与える信号生成手段とを有し、前記第１乃至第ＭのＩＣカードは、前記送信アンテナからの前記第１乃至第Ｍの送信書き込み信号と前記第１乃至第Ｍの送信書き込みコマンドおよび前記送信パルス信号とを受信し第１乃至第Ｍの受信書き込み信号と第１乃至第Ｍの受信書き込みコマンドおよび第１乃至第Ｍの受信パルス信号を生成する第１乃至第Ｍのアンテナと、これらの第１乃至第Ｍのアンテナに接続されこれらの第１乃至第Ｍのアンテナからの前記第１乃至第Ｍの受信パルス信号の前記第１乃至第Ｍのパルス信号を検出する第１乃至第Ｍのパルス信号検出手段と、前記第１乃至第Ｍのアンテナに接続されこれらの第１乃至第Ｍのアンテナからの前記第１乃至第Ｍの受信書き込みコマンドの前記第１乃至第Ｍの書き込みコマンドを検出する第１乃至第Ｍの書き込みコマンド検出手段と、データを記憶する第１乃至第Ｍの記憶装置と、前記第１乃至第Ｍのアンテナと前記第１乃至第Ｍの書き込みコマンド検出手段および前記第１乃至第Ｍの記憶装置に接続されノーマルパワーレべルを有するノーマルパワーを受けた時のみ前記第１乃至第Ｍの書き込みコマンド検出手段からの前記第１乃至第Ｍの書き込みコマンドに応答して前記第１乃至第Ｍのアンテナからの前記第１乃至第Ｍの受信書き込み信号を処理して第１乃至第Ｍのデータを生成し前記第１乃至第Ｍの記憶装置に書き込む第１乃至第Ｍの信号処理手段と、第１乃至第Ｍの乱数を有する第１乃至第Ｍの乱数信号を発生する第１乃至第Ｍの乱数発生手段と、前記第１乃至第Ｍのパルス信号検出手段および前記第１乃至第Ｍの乱数発生手段と接続され前記第１乃至第Ｍのパルス信号検出手段からの前記第１乃至第Ｍのパルス信号のパルスをカウントして第１乃至第Ｍのカウント数を有する第１乃至第Ｍのカウント信号を生成し前記第１乃至第Ｍのカウント信号の前記第１乃至第Ｍのカウント数と前記第１乃至第Ｍの乱数信号の前記第１乃至第Ｍの乱数とを比較して前記第１乃至第Ｍのカウント数が前記第１乃至第Ｍの乱数と等しくない時に第１乃至第Ｍのローパワーモード信号を発生する第１乃至第Ｍのローパワーモードを設定し前記第１乃至第Ｍのカウント数が前記第１乃至第Ｍの乱数と等しくなった時に第１乃至第Ｍのノーマルパワーモード信号を発生する第１乃至第Ｍのノーマルパワーモードを設定する第１乃至第Ｍの状態制御手段と、前記第１乃至第Ｍの信号処理手段および前記第１乃至第Ｍの状態制御手段に接続され前記第１乃至第Ｍの状態制御手段から前記第１乃至第Ｍのローパワーモード信号を受けた時に前記ノーマルパワーレべルより低いローパワーレベルを有するローパワーを前記第１乃至第Ｍの信号処理手段に供給し前記第１乃至第Ｍの状態制御手段から前記第１乃至第Ｍのノーマルパワーモード信号を受けた時に前記ノーマルパワーを前記第１乃至第Ｍの信号処理手段に供給する第１乃至第Ｍの電力供給制御手段とを有することを特徴とする。
【０００５】
請求項２に記載の発明は、書き込み装置と第１乃至第Ｍ（Ｍは１より大きい整数である）のＩＣカードを有するデータ書き込みシステムであって、前記書き込み装置は、第１乃至第Ｍの処理書き込み信号と第１乃至第Ｍの書き込みコマンドおよび複数のパルスを有するパルス信号を、第１乃至第Ｍの送信書き込み信号と第１乃至第Ｍの送信書き込みコマンドおよび送信パルス信号として送信する送信アンテナと、この送信アンテナに接続され前記第１乃至第Ｍの処理書き込み信号と前記第１乃至第Ｍの書き込みコマンドおよび前記パルス信号を生成して前記送信アンテナに与える信号生成手段とを有し、前記第１乃至第ＭのＩＣカードは、前記送信アンテナからの前記第１乃至第Ｍの送信書き込み信号と前記第１乃至第Ｍの送信書き込みコマンドおよび前記送信パルス信号とを受信し第１乃至第Ｍの受信書き込み信号と第１乃至第Ｍの受信書き込みコマンドおよび第１乃至第Ｍの受信パルス信号を生成する第１乃至第Ｍのアンテナと、これらの第１乃至第Ｍのアンテナに接続されこれらの第１乃至第Ｍのアンテナからの前記第１乃至第Ｍの受信パルス信号の前記第１乃至第Ｍのパルス信号を検出する第１乃至第Ｍのパルス信号検出手段と、前記第１乃至第Ｍのアンテナに接続されこれらの第１乃至第Ｍのアンテナからの前記第１乃至第Ｍの受信書き込みコマンドの前記第１乃至第Ｍの書き込みコマンドを検出する第１乃至第Ｍの書き込みコマンド検出手段と、データを記憶する第１乃至第Ｍの記憶装置と、前記第１乃至第Ｍのアンテナと前記第１乃至第Ｍの書き込みコマンド検出手段および前記第１乃至第Ｍの記憶装置に接続されノーマルパワーレべルを有するノーマルパワーを受けた時のみ前記前記第１乃至第Ｍの書き込みコマンド検出手段からの前記第１乃至第Ｍの書き込みコマンドに応答して前記第１乃至第Ｍのアンテナからの前記第１乃至第Ｍの受信書き込み信号を処理して第１乃至第Ｍのデータを生成し前記第１乃至第Ｍの記憶装置に書き込み、前記第１乃至第Ｍのデータを前記第１乃至第Ｍの記憶装置に書き込むことを完了した時に第１乃至第Ｍのノーマルパワーモードキャンセル信号を発生する第１乃至第Ｍの信号処理手段と、第１乃至第Ｍの乱数を有する第１乃至第Ｍの乱数信号を発生する第１乃至第Ｍの乱数発生手段と、前記第１乃至第Ｍのパルス信号検出手段および前記第１乃至第Ｍの乱数発生手段と接続され前記第１乃至第Ｍのパルス信号検出手段からの前記第１乃至第Ｍのパルス信号のパルスをカウントして第１乃至第Ｍのカウント数を有する第１乃至第Ｍのカウント信号を生成し前記第１乃至第Ｍのカウント信号の前記第１乃至第Ｍのカウント数と前記第１乃至第Ｍの乱数信号の前記第１乃至第Ｍの乱数とを比較して前記第１乃至第Ｍのカウント数が前記第１乃至第Ｍの乱数と等しくない時に第１乃至第Ｍのローパワーモード信号を発生する第１乃至第Ｍのローパワーモードを設定し前記第１乃至第Ｍのカウント数が前記第１乃至第Ｍの乱数と等しくなった時に第１乃至第Ｍのノーマルパワーモード信号を発生する第１乃至第Ｍのノーマルパワーモードを設定し、前記第１乃至第Ｍの信号処理手段からの前記第１乃至第Ｍのノーマルモードキャンセル信号を受けた時に前記第１乃至第Ｍのローパワーモードを設定する第１乃至第Ｍの状態制御手段と、前記第１乃至第Ｍの信号処理手段および前記第１乃至第Ｍの状態制御手段に接続され前記第１乃至第Ｍの状態制御手段から前記第１乃至第Ｍのローパワーモード信号を受けた時に前記ノーマルパワーレべルより低いローパワーレベルを有するローパワーを前記第１乃至第Ｍの信号処理手段に供給し前記第１乃至第Ｍの状態制御手段から前記第１乃至第Ｍのノーマルパワーモード信号を受けた時に前記ノーマルパワーを前記第１乃至第Ｍの信号処理手段に供給する第１乃至第Ｍの電力供給制御手段とを有することを特徴とする。
【０００６】
請求項３に記載の発明は、書き込み装置と第１乃至第Ｍ（Ｍは１より大きい整数である）のＩＣカードを有するデータ書き込みシステムであって、前記書き込み装置は、第１乃至第Ｍの処理書き込み信号と第１乃至第Ｍの書き込みコマンドと複数のパルスを有するパルス信号および第１乃至第Ｍのノーマルパワーモードキャンセルコマンドを、第１乃至第Ｍの送信書き込み信号と第１乃至第Ｍの送信書き込みコマンドと送信パルス信号および第１乃至第Ｍの送信ノーマルパワーモードキャンセルコマンドとして送信する送信アンテナと、この送信アンテナに接続され前記第１乃至第Ｍの処理書き込み信号と前記第１乃至第Ｍの書き込みコマンドと前記パルス信号および前記第１乃至第Ｍのノーマルパワーモードキャンセルコマンドを生成して前記送信アンテナに与える信号生成手段とを有し、前記第１乃至第ＭのＩＣカードは、前記送信アンテナからの前記第１乃至第Ｍの送信書き込み信号と前記第１乃至第Ｍの送信書き込みコマンドと前記送信パルス信号および前記第１乃至第Ｍの送信ノーマルパワーモードキャンセルコマンドとを受信し第１乃至第Ｍの受信書き込み信号と第１乃至第Ｍの受信書き込みコマンドと第１乃至第Ｍの受信パルス信号および第１乃至第Ｍの受信ノーマルパワーモードキャンセルコマンドとを生成する第１乃至第Ｍのアンテナと、これらの第１乃至第Ｍのアンテナに接続されこれらの第１乃至第Ｍのアンテナからの前記第１乃至第Ｍの受信パルス信号の前記第１乃至第Ｍのパルス信号を検出する第１乃至第Ｍのパルス信号検出手段と、前記第１乃至第Ｍのアンテナに接続されこれらの第１乃至第Ｍのアンテナからの前記第１乃至第Ｍの受信書き込みコマンドの前記第１乃至第Ｍの書き込みコマンドを検出する第１乃至第Ｍの書き込みコマンド検出手段と、前記第１乃至第Ｍのアンテナに接続されこれらの第１乃至第Ｍのアンテナからの前記第１乃至第Ｍの第１乃至第Ｍの受信ノーマルパワーモードキャンセルコマンドの前記第１乃至第Ｍの第１乃至第Ｍのノーマルパワーモードキャンセルコマンドを検出する第１乃至第Ｍのノーマルパワーモードキャンセルコマンド検出手段と、データを記憶する第１乃至第Ｍの記憶装置と、前記第１乃至第Ｍのアンテナと前記第１乃至第Ｍの書き込みコマンド検出手段および前記第１乃至第Ｍの記憶装置に接続されノーマルパワーレべルを有するノーマルパワーを受けた時のみ前記第１乃至第Ｍの書き込みコマンド検出手段からの前記第１乃至第Ｍの書き込みコマンドに応答して前記第１乃至第Ｍのアンテナからの前記第１乃至第Ｍの受信書き込み信号を処理して第１乃至第Ｍのデータを生成し前記第１乃至第Ｍの記憶装置に書き込む第１乃至第Ｍの信号処理手段と、第１乃至第Ｍの乱数を有する第１乃至第Ｍの乱数信号を発生する第１乃至第Ｍの乱数発生手段と、前記第１乃至第Ｍのパルス信号検出手段と前記第１乃至第Ｍの乱数発生手段および前記第１乃至第Ｍのノーマルパワーモードキャンセルコマンド検出手段と接続され前記第１乃至第Ｍのパルス信号検出手段からの前記第１乃至第Ｍのパルス信号のパルスをカウントして第１乃至第Ｍのカウント数を有する第１乃至第Ｍのカウント信号を生成し前記第１乃至第Ｍのカウント信号の前記第１乃至第Ｍのカウント数と前記第１乃至第Ｍの乱数信号の前記第１乃至第Ｍの乱数とを比較して前記第１乃至第Ｍのカウント数が前記第１乃至第Ｍの乱数と等しくない時に第１乃至第Ｍのローパワーモード信号を発生する第１乃至第Ｍのローパワーモードを設定し前記第１乃至第Ｍのカウント数が前記第１乃至第Ｍの乱数と等しくなった時に第１乃至第Ｍのノーマルパワーモード信号を発生する第１乃至第Ｍのノーマルパワーモードを設定し、前記第１乃至第Ｍのノーマルパワーモードキャンセルコマンド検出手段からの前記第１乃至第Ｍのノーマルパワーモードキャンセルコマンドを受けた時に前記第１乃至第Ｍのローパワーモードを設定する第１乃至第Ｍの状態制御手段と、前記第１乃至第Ｍの信号処理手段および前記第１乃至第Ｍの状態制御手段に接続され前記第１乃至第Ｍの状態制御手段から前記第１乃至第Ｍのローパワーモード信号を受けた時に前記ノーマルパワーレべルより低いローパワーレベルを有するローパワーを前記第１乃至第Ｍの信号処理手段に供給し前記第１乃至第Ｍの状態制御手段から前記第１乃至第Ｍのノーマルパワーモード信号を受けた時に前記ノーマルパワーを前記第１乃至第Ｍの信号処理手段に供給する第１乃至第Ｍの電力供給制御手段とを有することを特徴とする。
【０００７】
請求項４に記載の発明は、読み出し装置と第１乃至第Ｍ（Ｍは１より大きい整数である）のＩＣカードを有するデータ読み出しシステムであって、前記読み出し装置は、第１乃至第Ｍの読み出しコマンドおよび複数のパルスを有するパルス信号を、第１乃至第Ｍの送信読み出しコマンドおよび送信パルス信号として送信する送信アンテナと、この送信アンテナに接続され前記第１乃至第Ｍの読み出しコマンドおよび前記パルス信号を生成して前記送信アンテナに与える信号生成手段とを有し、前記第１乃至第ＭのＩＣカードは、前記送信アンテナからの前記第１乃至第Ｍの送信読み出しコマンドおよび前記送信パルス信号とを受信し第１乃至第Ｍの受信読み出しコマンドおよび第１乃至第Ｍの受信パルス信号を生成し、データを有する第１乃至第Ｍの読み出し信号を受けて第１乃至第Ｍの送信読み出し信号を生成して送信する第１乃至第Ｍのアンテナと、これらの第１乃至第Ｍのアンテナに接続されこれらの第１乃至第Ｍのアンテナからの前記第１乃至第Ｍの受信パルス信号の前記第１乃至第Ｍのパルス信号を検出する第１乃至第Ｍのパルス信号検出手段と、前記第１乃至第Ｍのアンテナに接続されこれらの第１乃至第Ｍのアンテナからの前記第１乃至第Ｍの受信読み出しコマンドの前記第１乃至第Ｍの読み出しコマンドを検出する第１乃至第Ｍの読み出しコマンド検出手段と、データを記憶する第１乃至第Ｍの記憶装置と、前記第１乃至第Ｍのアンテナと前記第１乃至第Ｍの読み出しコマンド検出手段および前記第１乃至第Ｍの記憶装置に接続されノーマルパワーレべルを有するノーマルパワーを受けた時のみ前記第１乃至第Ｍの読み出しコマンド検出手段からの前記第１乃至第Ｍの読み出しコマンドに応答して前記第１乃至第Ｍの記憶装置から前記データを読み出して処理し前記第１乃至第Ｍの読み出し信号を生成して前記第１乃至第Ｍのアンテナに与える第１乃至第Ｍの第１の信号処理手段と、第１乃至第Ｍの乱数を有する第１乃至第Ｍの乱数信号を発生する第１乃至第Ｍの乱数発生手段と、前記第１乃至第Ｍのパルス信号検出手段および前記第１乃至第Ｍの乱数発生手段と接続され前記第１乃至第Ｍのパルス信号検出手段からの前記第１乃至第Ｍのパルス信号のパルスをカウントして第１乃至第Ｍのカウント数を有する第１乃至第Ｍのカウント信号を生成し前記第１乃至第Ｍのカウント信号の前記第１乃至第Ｍのカウント数と前記第１乃至第Ｍの乱数信号の前記第１乃至第Ｍの乱数とを比較して前記第１乃至第Ｍのカウント数が前記第１乃至第Ｍの乱数と等しくない時に第１乃至第Ｍのローパワーモード信号を発生する第１乃至第Ｍのローパワーモードを設定し前記第１乃至第Ｍのカウント数が前記第１乃至第Ｍの乱数と等しくなった時に第１乃至第Ｍのノーマルパワーモード信号を発生する第１乃至第Ｍのノーマルパワーモードを設定する第１乃至第Ｍの状態制御手段と、前記第１乃至第Ｍの第１の信号処理手段および前記第１乃至第Ｍの状態制御手段に接続され前記第１乃至第Ｍの状態制御手段から前記第１乃至第Ｍのローパワーモード信号を受けた時に前記ノーマルパワーレべルより低いローパワーレベルを有するローパワーを前記第１乃至第Ｍの第１の信号処理手段に供給し前記第１乃至第Ｍの状態制御手段から前記第１乃至第Ｍのノーマルパワーモード信号を受けた時に前記ノーマルパワーを前記第１乃至第Ｍの第１の信号処理手段に供給する第１乃至第Ｍの電力供給制御手段とを有し、前記読み出し装置は、さらに前記第１乃至第Ｍのアンテナからの前記第１乃至第Ｍの送信読み出し信号を受けて第１乃至第Ｍの受信読み出し信号を生成する受信アンテナと、この受信アンテナからの前記第１乃至第Ｍの受信読み出し信号を処理して前記第１乃至第Ｍの読み出し信号を生成する第２の信号処理手段とを有することを特徴とする。
【０００８】
請求項５に記載の発明は、読み出し装置と第１乃至第Ｍ（Ｍは１より大きい整数である）のＩＣカードを有するデータ読み出しシステムであって、前記読み出し装置は、第１乃至第Ｍの読み出しコマンドおよび複数のパルスを有するパルス信号を、第１乃至第Ｍの送信読み出しコマンドおよび送信パルス信号として送信する送信アンテナと、この送信アンテナに接続され前記第１乃至第Ｍの読み出しコマンドおよび前記パルス信号を生成して前記送信アンテナに与える信号生成手段とを有し、前記第１乃至第ＭのＩＣカードは、前記送信アンテナからの前記第１乃至第Ｍの送信読み出しコマンドおよび前記送信パルス信号とを受信し第１乃至第Ｍの受信読み出しコマンドおよび第１乃至第Ｍの受信パルス信号を生成し、データを有する第１乃至第Ｍの読み出し信号を受けて第１乃至第Ｍの送信読み出し信号を生成して送信する第１乃至第Ｍのアンテナと、これらの第１乃至第Ｍのアンテナに接続されこれらの第１乃至第Ｍのアンテナからの前記第１乃至第Ｍの受信パルス信号の前記第１乃至第Ｍのパルス信号を検出する第１乃至第Ｍのパルス信号検出手段と、前記第１乃至第Ｍのアンテナに接続されこれらの第１乃至第Ｍのアンテナからの前記第１乃至第Ｍの受信読み出しコマンドの前記第１乃至第Ｍの読み出しコマンドを検出する第１乃至第Ｍの読み出しコマンド検出手段と、データを記憶する第１乃至第Ｍの記憶装置と、前記第１乃至第Ｍのアンテナと前記第１乃至第Ｍの読み出しコマンド検出手段および前記第１乃至第Ｍの記憶装置に接続されノーマルパワーレべルを有するノーマルパワーを受けた時のみ前記第１乃至第Ｍの読み出しコマンド検出手段からの前記第１乃至第Ｍの読み出しコマンドに応答して前記第１乃至第Ｍの記憶装置から前記データを読み出して処理し前記第１乃至第Ｍの読み出し信号を生成して前記第１乃至第Ｍのアンテナに与え、前記第１乃至第Ｍの読み出し信号を生成して前記アンテナに与えることを完了した時に第１乃至第Ｍのノーマルモードキャンセル信号を発生する第１乃至第Ｍの第１の信号処理手段と、第１乃至第Ｍの乱数を有する第１乃至第Ｍの乱数信号を発生する第１乃至第Ｍの乱数発生手段と、前記第１乃至第Ｍのパルス信号検出手段と前記第１乃至第Ｍの乱数発生手段および前記第１乃至第Ｍの第１の信号処理手段と接続され前記第１乃至第Ｍのパルス信号検出手段からの前記第１乃至第Ｍのパルス信号のパルスをカウントして第１乃至第Ｍのカウント数を有する第１乃至第Ｍのカウント信号を生成し前記第１乃至第Ｍのカウント信号の前記第１乃至第Ｍのカウント数と前記第１乃至第Ｍの乱数信号の前記第１乃至第Ｍの乱数とを比較して前記第１乃至第Ｍのカウント数が前記第１乃至第Ｍの乱数と等しくない時に第１乃至第Ｍのローパワーモード信号を発生する第１乃至第Ｍのローパワーモードを設定し前記第１乃至第Ｍのカウント数が前記第１乃至第Ｍの乱数と等しくなった時に第１乃至第Ｍのノーマルパワー信号を発生する第１乃至第Ｍのノーマルパワーモードを設定し、前記第１乃至第Ｍの第１の信号処理手段から前記第１乃至第Ｍのノーマルモードキャンセル信号を受けた時に前記第１乃至第Ｍのローパワーモードを設定する第１乃至第Ｍの状態制御手段と、前記第１乃至第Ｍの第１の信号処理手段および前記第１乃至第Ｍの状態制御手段に接続され前記第１乃至第Ｍの状態制御手段から前記第１乃至第Ｍのローパワーモード信号を受けた時に前記ノーマルパワーレべルより低いローパワーレベルを有するローパワーを前記第１乃至第Ｍの第１の信号処理手段に供給し前記第１乃至第Ｍの状態制御手段から前記第１乃至第Ｍのノーマルパワーモード信号を受けた時に前記ノーマルパワーを前記第１乃至第Ｍの第１の信号処理手段に供給する第１乃至第Ｍの電力供給制御手段とを有し、前記読み出し装置は、さらに前記第１乃至第Ｍのアンテナからの前記第１乃至第Ｍの送信読み出し信号を受けて第１乃至第Ｍの受信読み出し信号を生成する受信アンテナと、この受信アンテナからの前記第１乃至第Ｍの受信読み出し信号を処理して前記第１乃至第Ｍの読み出し信号を生成する第２の信号処理手段とを有することを特徴とする。
【０００９】
請求項６に記載の発明は、読み出し装置と第１乃至第Ｍ（Ｍは１より大きい整数である）のＩＣカードを有するデータ読み出しシステムであって、前記読み出し装置は、第１乃至第Ｍの読み出しコマンドと複数のパルスを有するパルス信号および第１乃至第Ｍのノーマルパワーモードキャンセルコマンドを、第１乃至第Ｍの送信読み出しコマンドと送信パルス信号および第１乃至第Ｍの送信ノーマルパワーモードキャンセルコマンドとして送信する送信アンテナと、この送信アンテナに接続され前記第１乃至第Ｍの読み出しコマンドと前記パルス信号および前記第１乃至第Ｍのノーマルパワーモードキャンセルコマンドを生成して前記送信アンテナに与える信号生成手段とを有し、前記第１乃至第ＭのＩＣカードは、前記送信アンテナからの前記第１乃至第Ｍの送信読み出しコマンドと前記送信パルス信号および前記第１乃至第Ｍの送信ノーマルパワーモードキャンセルコマンドとを受信し第１乃至第Ｍの受信読み出しコマンドと第１乃至第Ｍの受信パルス信号および第１乃至第Ｍの受信ノーマルパワーモードキャンセルコマンドを生成し、データを有する第１乃至第Ｍの読み出し信号を受けて第１乃至第Ｍの送信読み出し信号を生成して送信する第１乃至第Ｍのアンテナと、これらの第１乃至第Ｍのアンテナに接続されこれらの第１乃至第Ｍのアンテナからの前記第１乃至第Ｍの受信パルス信号の前記第１乃至第Ｍのパルス信号を検出する第１乃至第Ｍのパルス信号検出手段と、前記第１乃至第Ｍのアンテナに接続されこれらの第１乃至第Ｍのアンテナからの前記第１乃至第Ｍの受信読み出しコマンドの前記第１乃至第Ｍの読み出しコマンドを検出する第１乃至第Ｍの読み出しコマンド検出手段と、前記第１乃至第Ｍのアンテナに接続されこれらの第１乃至第Ｍのアンテナからの前記第１乃至第Ｍの前記第１乃至第Ｍの受信ノーマルパワーモードキャンセルコマンドの前記第１乃至第Ｍのノーマルパワーモードキャンセルコマンドを検出する第１乃至第Ｍのノーマルパワーモードキャンセルコマンド検出手段と、データを記憶する第１乃至第Ｍの記憶装置と、前記第１乃至第Ｍのアンテナと前記第１乃至第Ｍの読み出しコマンド検出手段および前記第１乃至第Ｍの記憶装置に接続されノーマルパワーレべルを有するノーマルパワーを受けた時のみ前記第１乃至第Ｍの読み出しコマンド検出手段からの前記第１乃至第Ｍの読み出しコマンドに応答して前記第１乃至第Ｍの記憶装置から前記データを読み出して処理し前記第１乃至第Ｍの読み出し信号を生成して前記第１乃至第Ｍのアンテナに与える第１乃至第Ｍの第１の信号処理手段と、第１乃至第Ｍの乱数を有する第１乃至第Ｍの乱数信号を発生する第１乃至第Ｍの乱数発生手段と、前記第１乃至第Ｍのパルス信号検出手段と前記第１乃至第Ｍの乱数発生手段および前記第１乃至第Ｍのノーマルパワーモードキャンセルコマンド検出手段と接続され前記第１乃至第Ｍのパルス信号検出手段からの前記第１乃至第Ｍのパルス信号のパルスをカウントして第１乃至第Ｍのカウント数を有する第１乃至第Ｍのカウント信号を生成し前記第１乃至第Ｍのカウント信号の前記第１乃至第Ｍのカウント数と前記第１乃至第Ｍの乱数信号の前記第１乃至第Ｍの乱数とを比較して前記第１乃至第Ｍのカウント数が前記第１乃至第Ｍの乱数と等しくない時に第１乃至第Ｍのローパワーモード信号を発生する第１乃至第Ｍのローパワーモードを設定し前記第１乃至第Ｍのカウント数が前記第１乃至第Ｍの乱数と等しくなった時に第１乃至第Ｍのノーマルパワー信号を発生する第１乃至第Ｍのノーマルパワーモードを設定し、前記第１乃至第Ｍのノーマルパワーモードキャンセルコマンド検出手段からの前記第１乃至第Ｍのノーマルパワーモードキャンセルコマンドを受けた時に前記第１乃至第Ｍのローパワーモードを設定する第１乃至第Ｍの状態制御手段と、前記第１乃至第Ｍの第１の信号処理手段および前記第１乃至第Ｍの状態制御手段に接続され前記第１乃至第Ｍの状態制御手段から前記第１乃至第Ｍのローパワーモード信号を受けた時に前記ノーマルパワーレべルより低いローパワーレベルを有するローパワーを前記第１乃至第Ｍの第１の信号処理手段に供給し前記第１乃至第Ｍの状態制御手段から前記第１乃至第Ｍのノーマルワーモード信号を受けた時に前記ノーマルパワーを前記第１乃至第Ｍの第１の信号処理手段に供給する第１乃至第Ｍの電力供給制御手段とを有し、前記読み出し装置は、さらに前記第１乃至第Ｍのアンテナからの前記第１乃至第Ｍの送信読み出し信号を受けて第１乃至第Ｍの受信読み出し信号を生成する受信アンテナと、この受信アンテナからの前記第１乃至第Ｍの受信読み出し信号を処理して前記第１乃至第Ｍの読み出し信号を生成する第２の信号処理手段とを有することを特徴とする。
【００１０】
請求項７に記載の発明は、書き込み読み出し装置と第１乃至第Ｍ（Ｍは１より大きい整数である）のＩＣカードを有するデータ書き込み読み出しシステムであって、前記書き込み読み出し装置は、第１乃至第Ｍの処理書き込み信号と第１乃至第Ｍの書き込みコマンドおよび複数のパルスを有するパルス信号を、第１乃至第Ｍの送信書き込み信号と第１乃至第Ｍの送信書き込みコマンドおよび送信パルス信号として送信し、第１乃至第Ｍの読み出しコマンドを、第１乃至第Ｍの送信読み出しコマンドとして送信する送信アンテナと、この送信アンテナに接続され前記第１乃至第Ｍの処理書き込み信号と前記第１乃至第Ｍの書き込みコマンドおよび前記パルス信号を生成して前記送信アンテナに与え、前記第１乃至第Ｍの読み出しコマンドおよび前記パルス信号を生成して前記送信アンテナに与える信号生成手段とを有し、前記第１乃至第ＭのＩＣカードは、記送信アンテナからの前記第１乃至第Ｍの送信書き込み信号と前記第１乃至第Ｍの送信書き込みコマンドおよび前記送信パルス信号とを受信し第１乃至第Ｍの受信書き込み信号と第１乃至第Ｍの受信書き込みコマンドおよび第１乃至第Ｍの受信パルス信号を生成し、前記送信アンテナからの前記第１乃至第Ｍの送信読み出しコマンドおよび前記送信パルス信号とを受信し第１乃至第Ｍの受信読み出しコマンドおよび前記第１乃至第Ｍの受信パルス信号を生成し、データを有する第１乃至第Ｍの読み出し信号を受けて第１乃至第Ｍの送信読み出し信号を生成して送信する第１乃至第Ｍのアンテナと、これらの第１乃至第Ｍのアンテナに接続されこれらの第１乃至第Ｍのアンテナからの前記第１乃至第Ｍの受信パルス信号の前記第１乃至第Ｍのパルス信号を検出する第１乃至第Ｍのパルス信号検出手段と、前記第１乃至第Ｍのアンテナに接続されこれらの第１乃至第Ｍのアンテナからの前記第１乃至第Ｍの受信書き込みコマンドの前記第１乃至第Ｍの書き込みコマンドを検出する第１乃至第Ｍの書き込みコマンド検出手段と、前記第１乃至第Ｍのアンテナに接続されこれらの第１乃至第Ｍのアンテナからの前記第１乃至第Ｍの受信読み出しコマンドの前記第１乃至第Ｍの読み出しコマンドを検出する第１乃至第Ｍの読み出しコマンド検出手段と、データを記憶する第１乃至第Ｍの記憶装置と、前記第１乃至第Ｍのアンテナと前記第１乃至第Ｍの書き込みコマンド検出手段と前記第１乃至第Ｍの読み出しコマンド検出手段および前記第１乃至第Ｍの記憶装置に接続されノーマルパワーレべルを有するノーマルパワーを受けた時のみ前記第１乃至第Ｍの書き込みコマンド検出手段からの前記第１乃至第Ｍの書き込みコマンドに応答して前記第１乃至第Ｍのアンテナからの前記第１乃至第Ｍの受信書き込み信号を処理して第１乃至第Ｍのデータを生成し前記第１乃至第Ｍの記憶装置に書き込み、前記ノーマルパワーを受けた時のみ前記第１乃至第Ｍの読み出しコマンド検出手段からの前記第１乃至第Ｍの読み出しコマンドに応答して前記第１乃至第Ｍの記憶装置から前記データを読み出して処理し前記第１乃至第Ｍの読み出し信号を生成して前記第１乃至第Ｍのアンテナに与える第１乃至第Ｍの第１の信号処理手段と、第１乃至第Ｍの乱数を有する第１乃至第Ｍの乱数信号を発生する第１乃至第Ｍの乱数発生手段と、前記第１乃至第Ｍのパルス信号検出手段および前記第１乃至第Ｍの乱数発生手段と接続され前記第１乃至第Ｍのパルス信号検出手段からの前記第１乃至第Ｍのパルス信号のパルスをカウントして第１乃至第Ｍのカウント数を有する第１乃至第Ｍのカウント信号を生成し前記第１乃至第Ｍのカウント信号の前記第１乃至第Ｍのカウント数と前記第１乃至第Ｍの乱数信号の前記第１乃至第Ｍの乱数とを比較して前記第１乃至第Ｍのカウント数が前記第１乃至第Ｍの乱数と等しくない時に第１乃至第Ｍのローパワーモード信号を発生する第１乃至第Ｍのローパワーモードを設定し前記第１乃至第Ｍのカウント数が前記第１乃至第Ｍの乱数と等しくなった時に第１乃至第Ｍのノーマルパワー信号を発生する第１乃至第Ｍのノーマルパワーモードを設定する第１乃至第Ｍの状態制御手段と、前記第１乃至第Ｍの第１の信号処理手段および前記第１乃至第Ｍの状態制御手段に接続され前記第１乃至第Ｍの状態制御手段から前記第１乃至第Ｍのローパワーモード信号を受けた時に前記ノーマルパワーレべルより低いローパワーレベルを有するローパワーを前記第１乃至第Ｍの第１の信号処理手段に供給し前記第１乃至第Ｍの状態制御手段から前記第１乃至第Ｍのノーマルパワーモード信号を受けた時に前記ノーマルパワーを前記第１乃至第Ｍの第１の信号処理手段に供給する第１乃至第Ｍの電力供給制御手段とを有し、前記書き込み読み出し装置は、らに前記第１乃至第Ｍのアンテナからの前記第１乃至第Ｍの送信読み出し信号を受けて第１乃至第Ｍの受信読み出し信号を生成する受信アンテナと、この受信アンテナからの前記第１乃至第Ｍの受信読み出し信号を処理して前記第１乃至第Ｍの読み出し信号を生成する第２の信号処理手段とを有することを特徴とする。
【００１１】
請求項８に記載の発明は、書き込み読み出し装置と第１乃至第Ｍ（Ｍは１より大きい整数である）のＩＣカードを有するデータ書き込み読み出しシステムであって、前記書き込み読み出し装置は、第１乃至第Ｍの処理書き込み信号と第１乃至第Ｍの書き込みコマンドおよび複数のパルスを有するパルス信号を、第１乃至第Ｍの送信書き込み信号と第１乃至第Ｍの送信書き込みコマンドおよび送信パルス信号として送信し、第１乃至第Ｍの読み出しコマンドを、第１乃至第Ｍの送信読み出しコマンドとして送信する送信アンテナと、この送信アンテナに接続され前記第１乃至第Ｍの処理書き込み信号と前記第１乃至第Ｍの書き込みコマンドおよび前記パルス信号を生成して前記送信アンテナに与え、前記第１乃至第Ｍの読み出しコマンドを生成して前記送信アンテナに与える信号生成手段とを有し、前記第１乃至第ＭのＩＣカードは、前記送信アンテナからの前記第１乃至第Ｍの送信書き込み信号と前記第１乃至第Ｍの送信書き込みコマンドおよび前記送信パルス信号とを受信し第１乃至第Ｍの受信書き込み信号と第１乃至第Ｍの受信書き込みコマンドおよび第１乃至第Ｍの受信パルス信号を生成し、前記送信アンテナからの前記第１乃至第Ｍの送信読み出しコマンドおよび前記送信パルス信号を受信し第１乃至第Ｍの受信読み出しコマンドおよび前記第１乃至第Ｍの受信パルス信号を生成し、データを有する第１乃至第Ｍの読み出し信号を受けて第１乃至第Ｍの送信読み出し信号を生成して送信する第１乃至第Ｍのアンテナと、これらの第１乃至第Ｍのアンテナに接続されこれらの第１乃至第Ｍのアンテナからの前記第１乃至第Ｍの受信パルス信号の前記第１乃至第Ｍのパルス信号を検出する第１乃至第Ｍのパルス信号検出手段と、前記第１乃至第Ｍのアンテナに接続されこれらの第１乃至第Ｍのアンテナからの前記第１乃至第Ｍの受信書き込みコマンドの前記第１乃至第Ｍの書き込みコマンドを検出する第１乃至第Ｍの書き込みコマンド検出手段と、前記第１乃至第Ｍのアンテナに接続されこれらの第１乃至第Ｍのアンテナからの前記第１乃至第Ｍの受信読み出しコマンドの前記第１乃至第Ｍの読み出しコマンドを検出する第１乃至第Ｍの読み出しコマンド検出手段と、データを記憶する第１乃至第Ｍの記憶装置と、前記第１乃至第Ｍのアンテナと前記第１乃至第Ｍの書き込みコマンド検出手段と前記第１乃至第Ｍの読み出しコマンド検出手段および前記第１乃至第Ｍの記憶装置に接続されノーマルパワーレべルを有するノーマルパワーを受けた時のみ前記第１乃至第Ｍの書き込みコマンド検出手段からの前記第１乃至第Ｍの書き込みコマンドに応答して前記第１乃至第Ｍのアンテナからの前記第１乃至第Ｍの受信書き込み信号を処理して第１乃至第Ｍのデータを生成し前記第１乃至第Ｍの記憶装置に書き込み、前記第１乃至第Ｍのデータを前記第１乃至第Ｍの記憶装置に書き込むことを完了した時に第１乃至第Ｍのノーマルパワーモードキャンセル信号を生成し、前記ノーマルパワーを受けた時のみ前記第１乃至第Ｍの読み出しコマンド検出手段からの前記第１乃至第Ｍの読み出しコマンドに応答して前記第１乃至第Ｍの記憶装置から前記データを読み出して処理し前記第１乃至第Ｍの読み出し信号を生成して前記第１乃至第Ｍのアンテナに与え、前記第１乃至第Ｍの読み出し信号を生成して前記アンテナに与えることを完了した時に前記第１乃至第Ｍのノーマルパワーモードキャンセル信号を生成する第１乃至第Ｍの第１の信号処理手段と、第１乃至第Ｍの乱数を有する第１乃至第Ｍの乱数信号を発生する第１乃至第Ｍの乱数発生手段と、前記第１乃至第Ｍのパルス信号検出手段と前記第１乃至第Ｍの乱数発生手段および前記第１乃至第Ｍの第１の信号処理手段と接続され前記第１乃至第Ｍのパルス信号検出手段からの前記第１乃至第Ｍのパルス信号のパルスをカウントして第１乃至第Ｍのカウント数を有する第１乃至第Ｍのカウント信号を生成し前記第１乃至第Ｍのカウント信号の前記第１乃至第Ｍのカウント数と前記第１乃至第Ｍの乱数信号からの前記第１乃至第Ｍの乱数とを比較して前記第１乃至第Ｍのカウント数が前記第１乃至第Ｍの乱数と等しくない時に第１乃至第Ｍのローパワーモード信号を発生する第１乃至第Ｍのローパワーモードを設定し前記第１乃至第Ｍのカウント数が前記第１乃至第Ｍの乱数と等しくなった時に第１乃至第Ｍのノーマルパワー信号を発生する第１乃至第Ｍのノーマルパワーモードを設定し、前記第１乃至第Ｍの第１の信号処理手段からの前記第１乃至第Ｍのノーマルパワーモードキャンセル信号を受けた時に前記第１乃至第Ｍのローパワーモードを設定する第１乃至第Ｍの状態制御手段と、前記第１乃至第Ｍの第１の信号処理手段および前記第１乃至第Ｍの状態制御手段に接続され前記第１乃至第Ｍの状態制御手段から前記第１乃至第Ｍのローパワーモード信号を受けた時に前記ノーマルパワーレべルより低いローパワーレベルを有するローパワーを前記第１乃至第Ｍの第１の信号処理手段に供給し前記第１乃至第Ｍの状態制御手段から前記第１乃至第Ｍのノーマルワーモード信号を受けた時に前記ノーマルパワーを前記第１乃至第Ｍの第１の信号処理手段に供給する第１乃至第Ｍの電力供給制御手段とを有し、前記書き込み読み出し装置は、さらに前記第１乃至第Ｍのアンテナからの前記第１乃至第Ｍの送信読み出し信号を受けて第１乃至第Ｍの受信読み出し信号を生成する受信アンテナと、この受信アンテナからの前記第１乃至第Ｍの受信読み出し信号を処理して前記第１乃至第Ｍの読み出し信号を生成する第２の信号処理手段とを有することを特徴とする。
【００１２】
請求項９に記載の発明は、書き込み読み出し装置と第１乃至第Ｍ（Ｍは１より大きい整数である）のＩＣカードを有するデータ書き込み読み出しシステムであって、前記書き込み読み出し装置は、第１乃至第Ｍの処理書き込み信号と第１乃至第Ｍの書き込みコマンドと複数のパルスを有するパルス信号および第１乃至第Ｍのノーマルパワーモードキャンセルコマンドを、第１乃至第Ｍの送信書き込み信号と第１乃至第Ｍの送信書き込みコマンドと送信パルス信号および第１乃至第Ｍの送信ノーマルパワーモードキャンセルコマンドとして送信し、第１乃至第Ｍの読み出しコマンドおよび前記第１乃至第Ｍの第１乃至第Ｍのノーマルパワーモードキャンセルコマンドを、第１乃至第Ｍの送信読み出しコマンドおよび前記第１乃至第Ｍの送信ノーマルパワーモードキャンセルコマンドとして送信する送信アンテナと、この送信アンテナに接続され前記第１乃至第Ｍの処理書き込み信号と前記第１乃至第Ｍの書き込みコマンドおよび前記パルス信号を生成して前記送信アンテナに与え、前記第１乃至第Ｍの読み出しコマンドおよび前記第１乃至第Ｍの送信ノーマルパワーモードキャンセルコマンドを生成して前記送信アンテナに与える信号生成手段とを有し、前記第１乃至第ＭのＩＣカードは、前記送信アンテナからの前記第１乃至第Ｍの送信書き込み信号と前記第１乃至第Ｍの送信書き込みコマンドと前記送信パルス信号と前記第１乃至第Ｍの送信読み出しコマンドおよび前記第１乃至第Ｍの送信ノーマルパワーモードキャンセルコマンドを受信し第１乃至第Ｍの受信書き込み信号と第１乃至第Ｍの受信書き込みコマンドと第１乃至第Ｍの受信パルス信号と第１乃至第Ｍの受信読み出しコマンドおよび第１乃至第Ｍの受信ノーマルパワーモードキャンセルコマンドを生成し、データを有する第１乃至第Ｍの読み出し信号を受けて第１乃至第Ｍの送信読み出し信号を生成して送信する第１乃至第Ｍのアンテナと、これらの第１乃至第Ｍのアンテナに接続されこれらの第１乃至第Ｍのアンテナからの前記第１乃至第Ｍの受信パルス信号の前記第１乃至第Ｍのパルス信号を検出する第１乃至第Ｍのパルス信号検出手段と、前記第１乃至第Ｍのアンテナに接続されこれらの第１乃至第Ｍのアンテナからの前記第１乃至第Ｍの受信書き込みコマンドの前記第１乃至第Ｍの書き込みコマンドを検出する第１乃至第Ｍの書き込みコマンド検出手段と、前記第１乃至第Ｍのアンテナに接続されこれらの第１乃至第Ｍのアンテナからの前記第１乃至第Ｍの受信読み出しコマンドの前記第１乃至第Ｍの読み出しコマンドを検出する第１乃至第Ｍの読み出しコマンド検出手段と、前記第１乃至第Ｍのアンテナに接続されこれらの第１乃至第Ｍのアンテナからの前記第１乃至第Ｍの受信ノーマルパワーモードキャンセルコマンドの第１乃至第Ｍのノーマルパワーモードキャンセルコマンドを検出する第１乃至第Ｍのノーマルパワーモードキャンセルコマンド検出手段と、データを記憶する第１乃至第Ｍの記憶装置と、前記第１乃至第Ｍのアンテナと前記第１乃至第Ｍの書き込みコマンド検出手段と前記第１乃至第Ｍの読み出しコマンド検出手段および前記第１乃至第Ｍの記憶装置に接続されノーマルパワーレべルを有するノーマルパワーを受けた時のみ前記第１乃至第Ｍの書き込みコマンド検出手段からの前記第１乃至第Ｍの書き込みコマンドに応答して前記第１乃至第Ｍのアンテナからの前記第１乃至第Ｍの受信書き込み信号を処理して第１乃至第Ｍのデータを生成し前記第１乃至第Ｍの記憶装置に書き込み、前記ノーマルパワーを受けた時のみ前記第１乃至第Ｍの読み出しコマンド検出手段からの前記第１乃至第Ｍの読み出しコマンドに応答して前記第１乃至第Ｍの記憶装置から前記データを読み出して処理し前記第１乃至第Ｍの読み出し信号を生成して前記第１乃至第Ｍのアンテナに与える第１乃至第Ｍの第１の信号処理手段と、第１乃至第Ｍの乱数を有する第１乃至第Ｍの乱数信号を発生する第１乃至第Ｍの乱数発生手段と、前記第１乃至第Ｍのパルス信号検出手段と前記第１乃至第Ｍの乱数発生手段および前記第１乃至第Ｍのノーマルパワーモードキャンセルコマンド検出手段と接続され前記第１乃至第Ｍのパルス信号検出手段からの前記第１乃至第Ｍのパルス信号のパルスをカウントして第１乃至第Ｍのカウント数を有する第１乃至第Ｍのカウント信号を生成し前記第１乃至第Ｍのカウント信号の前記第１乃至第Ｍのカウント数と前記第１乃至第Ｍの乱数信号の前記第１乃至第Ｍの乱数とを比較して前記第１乃至第Ｍのカウント数が前記第１乃至第Ｍの乱数と等しくない時に第１乃至第Ｍのローパワーモード信号を発生する第１乃至第Ｍのローパワーモードを設定し前記第１乃至第Ｍのカウント数が前記第１乃至第Ｍの乱数と等しくなった時に第１乃至第Ｍのノーマルパワー信号を発生する第１乃至第Ｍのノーマルパワーモードを設定し、前記第１乃至第Ｍのノーマルパワーモードキャンセルコマンド検出手段からの前記第１乃至第Ｍのノーマルパワーモードキャンセルコマンドを受けた時に前記第１乃至第Ｍのローパワーモードを設定する第１乃至第Ｍの状態制御手段と、前記第１乃至第Ｍの第１の信号処理手段および前記第１乃至第Ｍの状態制御手段に接続され前記第１乃至第Ｍの状態制御手段から前記第１乃至第Ｍのローパワーモード信号を受けた時に前記ノーマルパワーレべルより低いローパワーレベルを有するローパワーを前記第１乃至第Ｍの第１の信号処理手段に供給し前記第１乃至第Ｍの状態制御手段から前記第１乃至第Ｍのノーマルパワーモード信号を受けた時に前記ノーマルパワーを前記第１乃至第Ｍの第１の信号処理手段に供給する第１乃至第Ｍの電力供給制御手段とを有し、前記書き込み読み出し装置は、さらに前記第１乃至第Ｍのアンテナからの前記第１乃至第Ｍの送信読み出し信号を受けて第１乃至第Ｍの受信読み出し信号を生成する受信アンテナと、この受信アンテナからの前記第１乃至第Ｍの受信読み出し信号を処理して前記第１乃至第Ｍの読み出し信号を生成する第２の信号処理手段とを有することを特徴とする。
【００１３】
【発明の実施の形態】
次に、本発明の実施の形態を図面に基づいて詳細に説明する。
図１に示すように、本発明の第１の実施の形態としてのデータ書き込み読み出しシステムは、書き込み読み出し装置１１と、第１乃至第Ｍ（Ｍは１より大きい整数である）のＩＣカード（またはチップ）１２を有している。ＩＣカード１２は、第１乃至第Ｍの封筒１３またはタグに接着されている。第１乃至第Ｍの封筒１３およびＩＣカード１２は、ケース１４の内に積層されている。書き込み読み出し装置１１は、ケース１４の上面１５に配置されている。
図２に示すように、書き込み読み出し装置１１は、送信アンテナ１６と、制御装置１７と、電力増幅器１８と、変調器１９と、受信アンテナ２０と、検波器２１と、記憶装置２２と、入力装置２３と、表示装置２４および送受信装置２５とを有している。
送信アンテナ１６は、電力増幅器１８と接続されている。検波器２１は、受信アンテナ２０と接続されている。変調器１９は、電力増幅器１８と接続されている。制御装置１７は、電力増幅器１８と、変調器１９と、検波器２１と、記憶装置２２と、入力装置２３と、表示装置２４および送受信装置２５と接続されている。送受信装置２５は、ホストコンピュータ２６と接続されている。
送信アンテナ１６は、第１乃至第Ｍの処理書き込み信号と第１乃至第Ｍの書き込みコマンドおよび複数のパルスを有するパルス信号を、第１乃至第Ｍの送信書き込み信号と第１乃至第Ｍの送信書き込みコマンドおよび送信パルス信号として送信する。また、送信アンテナ１６は、第１乃至第Ｍの読み出しコマンドを、第１乃至第Ｍの送信読み出しコマンドとして送信する。
【００１４】
記憶装置２２は、データを記憶する。入力装置２３は、操作コマンドを入力するためのものである。表示装置２４は、制御装置１７からのデータを表示する。制御装置１７は、ホストコンピュータ２６にデータおよびコマンドを送受信装置２５を介して送信する。また、制御装置１７は、ホストコンピュータ２６からデータおよびコマンドを送受信装置２５を介して受信する。
制御装置１７は、第１のパルス信号を生成して電力増幅器１８に与える。電力増幅器１８は、制御装置１７からの第１のパルス信号を増幅して増幅パルス信号を前記パルス信号として送信アンテナに送る。制御装置１７は、入力装置２３から操作コマンドを受けた時に記憶装置２２からデータを読み出して第１乃至第Ｍの書き込み信号を生成して変調器１９に与える。また、制御装置１７は、入力装置２３から操作コマンドを受けた時に第１乃至第Ｍの第１の書き込みコマンドおよび第１乃至第Ｍの第１の読み出しコマンドを生成し変調器１９を経て電力増幅器１８に与える。
変調器１９は、前記第１乃至第Ｍの書き込み信号を変調して第１乃至第Ｍの変調書き込み信号を生成して電力増幅器１８に与える。電力増幅器１８は、変調器１９からの第１乃至第Ｍの変調書き込み信号を増幅して第１乃至第Ｍの増幅書き込み信号を生成し前記第１乃至第Ｍの処理書き込み信号として送信アンテナ１６に与える。また、電力増幅器１８は、変調器１９からの第１乃至第Ｍの第１の書き込みコマンドおよび第１乃至第Ｍの第１の読み出しコマンドを増幅して第１乃至第Ｍの増幅書き込みコマンドおよび第１乃至第Ｍの増幅読み出しコマンドを生成する。電力増幅器１８は、第１乃至第Ｍの増幅書き込みコマンドおよび第１乃至第Ｍの増幅読み出しコマンドを前記第１乃至第Ｍの書き込みコマンドおよび第１乃至第Ｍの読み出しコマンドとして送信アンテナに与える。
制御装置１７は、入力装置２３から操作コマンドを受けた時に表示装置２４に記憶装置２２からのデータを表示させる。第１の信号生成装置（第１の信号生成手段）は、制御装置１７と、電力増幅器１８と、変調器１９と、検波器２１と、記憶装置２２と、入力装置２３と、表示装置２４および送受信装置２５とから構成されている。
受信アンテナ２０は、第１乃至第ＭのＩＣカード１２からの第１乃至第Ｍの送信読み出し信号を受けて第１乃至第Ｍの受信読み出し信号を生成する。受信アンテナ２０は、前記第１乃至第Ｍの受信読み出し信号を検波器２１に与える。この検波器２１は、前記第１乃至第Ｍの受信読み出し信号を受けて受信アンテナ２０からの前記第１乃至第Ｍの受信読み出し信号の第１乃至第Ｍの読み出し信号を検出する。検波器２１は、前記第１乃至第Ｍの読み出し信号を制御装置１７に与える。制御装置１７は、前記第１乃至第Ｍの読み出し信号を受けて処理し第１乃至第Ｍのデータを生成する。制御装置１７は、前記第１乃至第Ｍのデータをデータとして記憶装置２２に書き込む。第１の信号処理装置（第１の信号処理手段）は、制御装置１７と、検波器２１と、入力装置２３および表示装置２４とから構成されている。
【００１５】
第１乃至第ＭのＩＣカード１２は、第１乃至第Ｍのアンテナ２７と、第１乃至第Ｍの整流器２８と、第１乃至第Ｍのパルス信号検出器２９と、第１乃至第Ｍの書き込みコマンド検出装置（第１乃至第Ｍの書き込みコマンド検出手段）３０と、第１乃至第Ｍの読み出しコマンド検出装置（第１乃至第Ｍの読み出しコマンド検出手段）３１と、第１乃至第Ｍの検波器３２と、第１乃至第Ｍの記憶装置３３と、第１乃至第Ｍの制御装置３４と、第１乃至第Ｍの乱数発生装置（第１乃至第Ｍの乱数発生手段）３５と、第１乃至第Ｍの状態制御装置（第１乃至第Ｍの状態制御手段）３６と、第１乃至第Ｍの電力供給制御装置（第１乃至第Ｍの電力供給制御手段）３７および第１乃至第Ｍの変調器３８とを有している。第１乃至第Ｍの乱数発生装置３５は、第１乃至第Ｍの乱数初期値発生器３９および第１乃至第Ｍの乱数発生器４０を有している。第１乃至第Ｍの状態制御装置３６は、第１乃至第Ｍのカウンタ４１および第１乃至第Ｍの比較器４２を有している。
第１乃至第Ｍの整流器２８は、第１乃至第Ｍのアンテナ２７と接続されている。第１乃至第Ｍの書き込みコマンド検出装置３０および第１乃至第Ｍの読み出しコマンド検出装置３１は、第１乃至第Ｍの検波器３２と接続されている。第１乃至第Ｍの検波器３２は、第１乃至第Ｍのアンテナ２７と接続されている。
第１乃至第Ｍの制御装置３４は、第１乃至第Ｍの書き込みコマンド検出装置３０と、第１乃至第Ｍの読み出しコマンド検出装置３１と、第１乃至第Ｍの検波器３２および第１乃至第Ｍの記憶装置３３と接続されている。第１乃至第Ｍの状態制御装置３６は、第１乃至第Ｍのパルス信号検出器２９と、第１乃至第Ｍの制御装置３４および第１乃至第Ｍの乱数発生装置３５と接続されている。第１乃至第Ｍの電力供給制御装置３７は、第１乃至第Ｍの制御装置３４および第１乃至第Ｍの状態制御装置３６と接続されている。第１乃至第Ｍの変調器３８は、第１乃至第Ｍのアンテナ２７および第１乃至第Ｍの制御装置３４と接続されている。
【００１６】
第１乃至第Ｍの乱数発生器４０は、第１乃至第Ｍの乱数初期値発生器３９と接続されている。第１乃至第Ｍのカウンタ４１は、第１乃至第Ｍのパルス信号検出器２９および第１乃至第Ｍの制御装置３４と接続されている。第１乃至第Ｍの比較器４２は、第１乃至第Ｍの乱数発生器４０と第１乃至第Ｍのカウンタ４１および第１乃至第Ｍの電力供給制御装置３７と接続されている。
第１乃至第Ｍのアンテナ２７は、送信アンテナ１６からの第１乃至第Ｍの送信書き込み信号と第１乃至第Ｍの送信書き込みコマンドおよび送信パルス信号とを受信し第１乃至第Ｍの受信書き込み信号と第１乃至第Ｍの受信書き込みコマンドおよび第１乃至第Ｍの受信パルス信号を生成する。また、第１乃至第Ｍのアンテナ２７は、送信アンテナ１６からの第１乃至第Ｍの送信読み出しコマンドおよび送信パルス信号を受信し第１乃至第Ｍの受信読み出しコマンドおよび第１乃至第Ｍの受信パルス信号を生成する。第１乃至第Ｍのアンテナ２７は、第１乃至第Ｍの読み出し信号を受けて第１乃至第Ｍの送信読み出し信号を生成して送信する。
第１乃至第Ｍの整流器２８は、第１乃至第Ｍのアンテナ２７からの第１乃至第Ｍの受信パルス信号を受けて整流し第１乃至第Ｍの作動電力を生成する。第１乃至第Ｍの整流器２８は、第１乃至第Ｍのパルス信号検出器２９と、第１乃至第Ｍの書き込みコマンド検出装置３０と、第１乃至第Ｍの読み出しコマンド検出装置３１と、第１乃至第Ｍの検波器３２と、第１乃至第Ｍの記憶装置３３と、第１乃至第Ｍの制御装置３４と、第１乃至第Ｍの乱数発生装置３５と、第１乃至第Ｍの状態制御装置３６と、第１乃至第Ｍの電力供給制御装置３７および第１乃至第Ｍの変調器３８とに接続されている。第１乃至第Ｍの整流器２８は、第１乃至第Ｍのパルス信号検出器２９と、第１乃至第Ｍの書き込みコマンド検出装置３０と、第１乃至第Ｍの読み出しコマンド検出装置３１と、第１乃至第Ｍの検波器３２と、第１乃至第Ｍの記憶装置３３と、第１乃至第Ｍの制御装置３４と、第１乃至第Ｍの乱数発生装置３５と、第１乃至第Ｍの状態制御装置３６と、第１乃至第Ｍの電力供給制御装置３７および第１乃至第Ｍの変調器３８とにそれぞれ第１乃至第Ｍの作動電力を与える。また、第１乃至第Ｍの整流器２８は、第１乃至第Ｍの整流パルス信号を第１乃至第Ｍのパルス信号検出器２９に与える。
第１乃至第Ｍの検波器３２は、第１乃至第Ｍのアンテナ２７からの第１乃至第Ｍの受信書き込み信号を受けて第１乃至第Ｍの書き込み信号を生成して第１乃至第Ｍの制御装置３４に与える。第１乃至第Ｍのパルス信号検出器２９は、第１乃至第Ｍの整流器２８からの第１乃至第Ｍの整流パルス信号の第１乃至第Ｍのパルス信号を検出して第１乃至第Ｍの状態制御装置３６の第１乃至第Ｍのカウンタ４１に与える。第１乃至第Ｍのパルス信号検出装置（第１乃至第Ｍのパルス信号検出手段）は、第１乃至第Ｍの整流器２８および第１乃至第Ｍのパルス信号検出器２９から構成されている。
【００１７】
第１乃至第Ｍの書き込みコマンド検出装置３０は、第１乃至第Ｍの検波器３２からの第１乃至第Ｍの受信書き込みコマンドの第１乃至第Ｍの書き込みコマンドを検出する。第１乃至第Ｍの書き込みコマンド検出装置３０は、第１乃至第Ｍの書き込みコマンドを第１乃至第Ｍの制御装置３４に与える。第１乃至第Ｍの読み出しコマンド検出装置３１は、第１乃至第Ｍの検波器３２からの第１乃至第Ｍの受信読み出しコマンドの第１乃至第Ｍの読み出しコマンドを検出する。第１乃至第Ｍの読み出しコマンド検出装置３１は、第１乃至第Ｍの読み出しコマンドを第１乃至第Ｍの制御装置３４に与える。第１乃至第Ｍの記憶装置３３は、データを記憶する。
第１乃至第Ｍの制御装置３４は、ノーマルパワーレべルを有するノーマルパワーを受けた時のみ第１乃至第Ｍの書き込みコマンド検出装置３０からの第１乃至第Ｍの書き込みコマンドに応答して第１乃至第Ｍの検波器３２からの第１乃至第Ｍの書き込み信号を処理して第１乃至第Ｍのデータを生成し第１乃至第Ｍの記憶装置３３に書き込む。第１乃至第Ｍの制御装置３４は、第１乃至第Ｍのデータを第１乃至第Ｍの記憶装置３３に書き込むことを完了した時に第１乃至第Ｍのノーマルパワーモードキャンセル信号を生成する。
また、第１乃至第Ｍの制御装置３４は、ノーマルパワーを受けた時のみ第１乃至第Ｍの読み出しコマンド検出器３１からの第１乃至第Ｍの読み出しコマンドに応答して第１乃至第Ｍの記憶装置３３からデータを読み出して処理し第１乃至第Ｍの第１の読み出し信号を生成して第１乃至第Ｍの変調器３８に与える。第１乃至第Ｍの変調器３８は、第１乃至第Ｍの第１の読み出し信号を変調して第１乃至第Ｍの変調読み出し信号を生成する。第１乃至第Ｍの変調器３８は、第１乃至第Ｍの変調読み出し信号を前記第１乃至第Ｍの読み出し信号として第１乃至第Ｍのアンテナ２７に与える。
【００１８】
第１乃至第Ｍの制御装置３４は、第１乃至第Ｍの第１の読み出し信号を生成して第１乃至第Ｍの変調器３８を介して第１乃至第Ｍのアンテナ２７に与えることを完了した時に第１乃至第Ｍのノーマルパワーモードキャンセル信号を生成する。第１乃至第Ｍの制御装置３４は、第１乃至第Ｍのノーマルパワーモードキャンセル信号を第１乃至第Ｍの状態制御装置３６に与える。第１乃至第Ｍの第２の信号処理装置（第１乃至第Ｍの第２の信号処理手段）は、第１乃至第Ｍの検波器３２と記憶装置３３と制御装置３４および変調器３８とから構成されている。
第１乃至第Ｍの乱数発生装置３５は、第１乃至第Ｍの乱数初期値発生器３９および第１乃至第Ｍの乱数発生器４０を有している。第１乃至第Ｍの乱数初期値発生器３９は、第１乃至第Ｍの乱数初期値を有する第１乃至第Ｍの乱数初期値信号を発生する。第１乃至第Ｍの乱数発生器４０は、第１乃至第Ｍの乱数初期値信号を受けて第１乃至第Ｍの乱数を有する第１乃至第Ｍの乱数信号を発生する。第１乃至第Ｍの乱数発生器４０は、第１乃至第Ｍの乱数信号を第１乃至第Ｍの比較器４２に与える。
第１乃至第Ｍの状態制御装置３６は、第１乃至第Ｍのカウンタ４１および第１乃至第Ｍの比較器４２を有している。第１乃至第Ｍのカウンタ４１は、第１乃至第Ｍのパルス信号検出器２９からの第１乃至第Ｍのパルス信号のパルスをカウントして第１乃至第Ｍのカウント数を有する第１乃至第Ｍのカウント信号を生成する。第１乃至第Ｍの比較器４２は、第１乃至第Ｍのカウント信号の第１乃至第Ｍのカウント数と第１乃至第Ｍの乱数信号の第１乃至第Ｍの乱数とを比較して第１乃至第Ｍのカウント数が第１乃至第Ｍの乱数と等しくない時に第１乃至第Ｍのローパワーモード信号を発生する第１乃至第Ｍのローパワーモードを設定する。第１乃至第Ｍの比較器４２は、第１乃至第Ｍのカウント数が第１乃至第Ｍの乱数と等しくなった時に第１乃至第Ｍのノーマルパワー信号を発生する第１乃至第Ｍのノーマルパワーモードを設定する。
第１乃至第Ｍの状態制御装置３６は、第１乃至第Ｍの制御装置３４からの第１乃至第Ｍのノーマルパワーモードキャンセル信号を受けた時に第１乃至第Ｍのローパワーモードを設定する。例えば、第１乃至第Ｍのカウンタ４１は、第１乃至第Ｍの制御装置３４からの第１乃至第Ｍのノーマルパワーモードキャンセル信号を受けた時に、第１乃至第Ｍのカウンタ４１の第１乃至第Ｍのカウント信号の第１乃至第Ｍのカウント数からある数を減算して第１乃至第Ｍのローパワーモードを設定する。
第１乃至第Ｍの電力供給制御装置３７は、第１乃至第Ｍの比較器４２から第１乃至第Ｍのローパワーモード信号を受けた時にノーマルパワーレべルより低いローパワーレベルを有するローパワーを第１乃至第Ｍの制御装置３４に供給する。また、第１乃至第Ｍの電力供給制御装置３７は、第１乃至第Ｍの比較器４２から第１乃至第Ｍのノーマルワーモード信号を受けた時にノーマルパワーを第１乃至第Ｍの第１乃至第Ｍの制御装置３４に供給する。
【００１９】
図３を参照して、本発明の第２の実施の形態としてのデータ書き込み読み出しシステムを説明する。本発明の第２の実施の形態においては、本発明の第１の実施の形態と同じ構成要素には同じ参照符号が付される。
図３において、データ書き込み読み出しシステムは、書き込み読み出し装置１１と、第１乃至第ＭのＩＣカード１２を有している。ＩＣカード１２は、第１乃至第Ｍの封筒１３またはタグに接着されている（図１）。第１乃至第Ｍの封筒１３およびＩＣカード１２は、ケース１４の内に積層されている（図１）。書き込み読み出し装置１１は、ケース１４の上面１５に配置されている（図１）。
書き込み読み出し装置１１は、送信アンテナ１６と、制御装置１７と、電力増幅器１８と、変調器１９と、受信アンテナ２０と、検波器２１と、記憶装置２２と、入力装置２３と、表示装置２４および送受信装置２５とを有している。
第１乃至第ＭのＩＣカード１２は、第１乃至第Ｍのアンテナ２７と、第１乃至第Ｍの整流器２８と、第１乃至第Ｍのパルス信号検出器２９と、第１乃至第Ｍの書き込みコマンド検出装置３０と、第１乃至第Ｍの読み出しコマンド検出装置３１と、第１乃至第Ｍの検波器３２と、第１乃至第Ｍの記憶装置３３と、第１乃至第Ｍの制御装置３４と、第１乃至第Ｍの乱数発生装置３５と、第１乃至第Ｍの状態制御装置３６と、第１乃至第Ｍの電力供給制御装置３７および第１乃至第Ｍの変調器３８とを有している。第１乃至第ＭのＩＣカード１２は、さらに第１乃至第Ｍのノーマルパワーモードキャンセルコマンド検出装置（第１乃至第Ｍのノーマルパワーモードキャンセルコマンド検出手段）４３を有している。
第１乃至第Ｍの乱数発生装置３５は、第１乃至第Ｍの乱数初期値発生器３９および第１乃至第Ｍの乱数発生器４０を有している。第１乃至第Ｍの状態制御装置３６は、第１乃至第Ｍのカウンタ４１および第１乃至第Ｍの比較器４２を有している。第１乃至第Ｍのノーマルパワーモードキャンセルコマンド検出装置４３は、第１乃至第Ｍの検波器３２および第１乃至第Ｍの状態制御装置３６の第１乃至第Ｍのカウンタ４１と接続されている。
送信アンテナ１６は、さらに第１乃至第Ｍのノーマルパワーモードキャンセルコマンドを受けて第１乃至第Ｍの受信ノーマルパワーモードキャンセルコマンドを生成する。送信アンテナ１６は、第１乃至第Ｍの受信ノーマルパワーモードキャンセルコマンドを第１乃至第Ｍの送信ノーマルパワーモードキャンセルコマンドとして送信する。
【００２０】
制御装置１７は、さらに第１乃至第Ｍの第１のノーマルパワーモードキャンセルコマンドを生成して変調器１９を経て電力増幅器１８に与える。電力増幅器１８は、制御装置１７からの第１乃至第Ｍの第１のノーマルパワーモードキャンセルコマンドを受けて増幅して第１乃至第Ｍの増幅ノーマルパワーモードキャンセルコマンドを生成する。電力増幅器１８は、第１乃至第Ｍの増幅ノーマルパワーモードキャンセルコマンドを前記第１乃至第Ｍのノーマルパワーモードキャンセルコマンドとして送信アンテナ１６に与える。
第１乃至第Ｍのアンテナ２７は、さらに送信アンテナ１６からの第１乃至第Ｍの送信ノーマルパワーモードキャンセルコマンドを受けて第１乃至第Ｍの受信ノーマルパワーモードキャンセルコマンドを生成する。第１乃至第Ｍのノーマルパワーモードキャンセルコマンド検出装置４３は、第１乃至第Ｍの検波器３２からの第１乃至第Ｍの受信ノーマルパワーモードキャンセルコマンドの第１乃至第Ｍのノーマルパワーモードキャンセルコマンドを検出する。制御装置３４は、第１乃至第Ｍのノーマルパワーモードキャンセル信号を生成しない。
第１乃至第Ｍの状態制御装置３６は、第１乃至第Ｍのノーマルパワーモードキャンセルコマンド検出装置４３からの第１乃至第Ｍのノーマルパワーモードキャンセルコマンドを受けた時に第１乃至第Ｍのローパワーモードを設定する。例えば、第１乃至第Ｍのカウンタ４１は、第１乃至第Ｍのノーマルパワーモードキャンセルコマンド検出装置４３からの第１乃至第Ｍのノーマルパワーモードキャンセルコマンドを受けた時に、第１乃至第Ｍのカウンタ４１の第１乃至第Ｍのカウント信号の第１乃至第Ｍのカウント数からある数を減算して第１乃至第Ｍのローパワーモードを設定する。
【００２１】
【発明の効果】
請求項１乃至９に記載の発明によれば、ＩＣカードの状態制御手段が受信パルス信号のパルスをカウントすることにより生成されたカウント信号のカウント数が乱数発生装置３５からの乱数信号の乱数と等しくない時にローパワーモードを設定し、そうでない時にノーマルパワーモードを設定し、電力供給制御手段が前記ローパワーモードの時にローパワーを前記制御装置に与え、かつ、そうでない時に前記ローパワーのレベルより高いレベルを有するノーマルパワーを制御装置に与えるから、隣接していないＩＣカードの電力をデータの書き込みおよび読み出しに必要なノーマルパワーレベルにすることができるので、隣接していないＩＣカードに対し同時にデータを書き込みおよび読み出すことができるため、積層されたＩＣカードに対しデータを書き込みおよび読み出すことができる。
【図面の簡単な説明】
【図１】本発明の第１の実施の形態としてのデータ書き込み読みだしシステムを示す斜視図である。
【図２】本発明の第１の実施の形態としてのデータ書き込み読みだしシステムを示すブロック図である。
【図３】本発明の第２の実施の形態としてのデータ書き込み読みだしシステムを示すブロック図である。
【符号の説明】
１１  書き込み読み出し装置、１２  第１乃至第ＭのＩＣカード、１３  第１乃至第Ｍの封筒、１３  第１乃至第Ｍの封筒、１４  ケース、１６  送信アンテナ、１７  制御装置、１８  電力増幅器、１９  変調器、２０  受信アンテナ、２１  検波器、２２  記憶装置、２３  入力装置、２４  表示装置、２５  送受信装置２５、２７  第１乃至第Ｍのアンテナ、２８  第１乃至第Ｍの整流器、２９  第１乃至第Ｍのパルス信号検出器、３０  第１乃至第Ｍの書き込みコマンド検出装置、３１  第１乃至第Ｍの読み出しコマンド検出装置、３２  第１乃至第Ｍの検波器、３３  第１乃至第Ｍの記憶装置、３４  第１乃至第Ｍの制御装置、３５  第１乃至第Ｍの乱数発生装置、３６  第１乃至第Ｍの状態制御装置、３７第１乃至第Ｍの電力供給制御装置、３８  第１乃至第Ｍの変調器、４３  第１乃至第Ｍのノーマルパワーモードキャンセルコマンド検出装置。
【図１】
0004566366.tif 000002
【図２】
0004566366.tif 000003
【図３】
0004566366.tif 000004